(57)【要約】本明細書は、無線通信システムにおいて復調参照信号（ｄｅｍｏｄｕｌａｔｉｏｎ  ｒｅｆｅｒｅｎｃｅ  ｓｉｇｎａｌ、ＤＭＲＳ）とＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）とをマルチプレキシング（ｍｕｌｔｉｐｌｅｘｉｎｇ）するための方法を提供する。具体的に、端末により行われる方法は、前記ＤＭＲＳを基地局から受信するステップと、前記ＣＳＩ−ＲＳを前記基地局から受信するステップと、特定シンボルで前記ＤＭＲＳと前記ＣＳＩ−ＲＳとの間の周波数分割マルチプレキシング（ｆｒｅｑｕｅｎｃｙ  ｄｉｖｉｓｉｏｎ  ｍｕｌｔｉｐｌｅｘｉｎｇ、ＦＤＭ）は、ＤＭＲＳタイプ（ｔｙｐｅ）に基づいて決定されることを特徴とすることができる。【選択図】図１０
2020528238.tif 000002
【特許請求の範囲】
【請求項１】
無線通信システムにおいて復調参照信号（ｄｅｍｏｄｕｌａｔｉｏｎ  ｒｅｆｅｒｅｎｃｅ  ｓｉｇｎａｌ、ＤＭＲＳ）とＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）とをマルチプレキシング（ｍｕｌｔｉｐｌｅｘｉｎｇ）するための方法であって、端末により行われる方法は、
前記ＤＭＲＳを基地局から受信するステップと、
前記ＣＳＩ−ＲＳを前記基地局から受信するステップと、
を含み、
特定シンボルで前記ＤＭＲＳと前記ＣＳＩ−ＲＳとの間の周波数分割マルチプレキシング（ｆｒｅｑｕｅｎｃｙ  ｄｉｖｉｓｉｏｎ  ｍｕｌｔｉｐｌｅｘｉｎｇ、ＦＤＭ）は、ＤＭＲＳタイプ（ｔｙｐｅ）に基づいて決定されることを特徴とする方法。
【請求項２】
前記ＤＭＲＳタイプは、ＤＭＲＳタイプ１またはＤＭＲＳタイプ２であることを特徴とする請求項１に記載の方法。
【請求項３】
前記ＤＭＲＳタイプがＤＭＲＳタイプ１に設定され、前記ＣＳＩ−ＲＳが特定用途で設定された場合、前記特定シンボルで前記ＤＭＲＳと前記ＣＳＩ−ＲＳとは、周波数分割多重化ＦＤＭされることを特徴とする請求項２に記載の方法。
【請求項４】
前記特定用途は、ビーム管理（ｂｅａｍ  ｍａｎａｇｅｍｅｎｔ）用途またはＴＲＳ（ｔｒａｃｋｉｎｇ  ｒｅｆｅｒｅｎｃｅ  ｓｉｇｎａｌ）用途であることを特徴とする請求項３に記載の方法。
【請求項５】
前記特定用途は、ＲＲＣ  ｓｉｇｎａｌｉｎｇに含まれる指示子（ｉｎｄｉｃａｔｏｒ）で区分されることを特徴とする請求項４に記載の方法。
【請求項６】
前記ＤＭＲＳタイプがＤＭＲＳタイプ２に設定された場合、前記特定シンボルで前記ＤＭＲＳと前記ＣＳＩ−ＲＳとは、周波数分割多重化ＦＤＭされることを特徴とする請求項２に記載の方法。
【請求項７】
Ｎ−ｐｏｒｔ以上のＣＳＩ−ＲＳであり、１つのシンボルに２個以上のＣＳＩ−ＲＳ  ｃｏｍｐｏｎｅｎｔ  ＲＥ  ｐａｔｔｅｒｎが併合（ａｇｇｒｅｇａｔｉｏｎ）される場合、前記特定シンボルで前記ＤＭＲＳと前記ＣＳＩ−ＲＳとは、周波数分割多重化ＦＤＭされることを特徴とする請求項６に記載の方法。
【請求項８】
無線通信システムにおいて復調参照信号（ｄｅｍｏｄｕｌａｔｉｏｎ  ｒｅｆｅｒｅｎｃｅ  ｓｉｇｎａｌ、ＤＭＲＳ）とＳＲＳ（ｓｏｕｎｄｉｎｇ  ｒｅｆｅｒｅｎｃｅ  ｓｉｇｎａｌ）とをマルチプレキシング（ｍｕｌｔｉｐｌｅｘｉｎｇ）するための方法であって、端末により行われる方法は、
前記ＤＭＲＳを基地局に送信するステップと、
前記ＳＲＳを前記基地局に送信するステップと、
を含み、
特定シンボルで前記ＤＭＲＳと前記ＳＲＳとの間の周波数分割マルチプレキシング（ｆｒｅｑｕｅｎｃｙ  ｄｉｖｉｓｉｏｎ  ｍｕｌｔｉｐｌｅｘｉｎｇ、ＦＤＭ）は、ＤＭＲＳタイプ（ｔｙｐｅ）に基づいて決定されることを特徴とする方法。
【請求項９】
前記ＤＭＲＳタイプは、ＤＭＲＳタイプ１またはＤＭＲＳタイプ２であることを特徴とする請求項８に記載の方法。
【請求項１０】
前記ＤＭＲＳタイプがＤＭＲＳタイプ１に設定され、前記ＳＲＳが周波数領域でｃｏｍｂ１以外のｃｏｍｂ構造で設定された場合、前記特定シンボルで前記ＤＭＲＳと前記ＳＲＳとは、周波数分割多重化ＦＤＭされることを特徴とする請求項９に記載の方法。
【請求項１１】
前記ＤＭＲＳタイプがＤＭＲＳタイプ２に設定された場合、前記特定シンボルで前記ＤＭＲＳと前記ＣＳＩ−ＲＳとは、周波数分割多重化ＦＤＭされないことを特徴とする請求項９に記載の方法。
【請求項１２】
無線通信システムにおいて復調参照信号（ｄｅｍｏｄｕｌａｔｉｏｎ  ｒｅｆｅｒｅｎｃｅ  ｓｉｇｎａｌ、ＤＭＲＳ）とＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）とをマルチプレキシング（ｍｕｌｔｉｐｌｅｘｉｎｇ）するための端末であって、
無線信号を送受信するためのＲＦ（Ｒａｄｉｏ  Ｆｒｅｑｕｅｎｃｙ）モジュールと、
前記ＲＦモジュールと機能的に連結されているプロセッサと、
を備え、
前記プロセッサは、
前記ＤＭＲＳを基地局から受信し、
前記ＣＳＩ−ＲＳを前記基地局から受信するように設定され、
特定シンボルで前記ＤＭＲＳと前記ＣＳＩ−ＲＳとの間の周波数分割マルチプレキシング（ｆｒｅｑｕｅｎｃｙ  ｄｉｖｉｓｉｏｎ  ｍｕｌｔｉｐｌｅｘｉｎｇ、ＦＤＭ）は、ＤＭＲＳタイプ（ｔｙｐｅ）に基づいて決定されることを特徴とする端末。
【発明の詳細な説明】
【技術分野】
【０００１】
本明細書は、無線通信システムに関し、より詳細には、復調参照信号（ｄｅｍｏｄｕｌａｔｉｏｎ  ｒｅｆｅｒｅｎｃｅ  ｓｉｇｎａｌ、ＤＭＲＳ）と特定参照信号との間のマルチプレキシングを行うための方法及びこれを支援する装置に関する。
【背景技術】
【０００２】
移動通信システムは、ユーザーの活動性を保証しつつ、音声サービスを提供するために開発された。しかし、移動通信システムは、音声だけでなく、データサービスまで領域を拡張し、現在は爆発的なトラフィックの増加により、資源の不足現象が引き起こされ、ユーザーがより高速のサービスを要求するため、より発展した移動通信システムが求められている。
【０００３】
次世代移動通信システムの要求条件は、大きく爆発的なデータトラフィックの収容、ユーザー当たり転送率の画期的な増加、大幅に増加した連結デバイス数の収容、非常に低い端対端遅延（Ｅｎｄ−ｔｏ−Ｅｎｄ  Ｌａｔｅｎｃｙ）、高エネルギー効率を支援できなければならない。このために、二重連結性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、多様な技術が研究されている。
【発明の概要】
【発明が解決しようとする課題】
【０００４】
本明細書は、ＤＭＲＳとＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）との間の周波数分割多重化ＦＤＭを支援するための方法を提供することに目的がある。
【０００５】
また、本明細書は、ＤＭＲＳとＳＲＳ（ｓｏｕｎｄｉｎｇ  ｒｅｆｅｒｅｎｃｅ  ｓｉｇｎａｌ）との間の周波数分割多重化ＦＤＭを支援するための方法を提供することに目的がある。
【０００６】
本発明においてなそうとする技術的課題は、以上で言及した技術的課題に制限されず、言及していないさらに他の技術的課題は、下記の記載から本発明の属する技術分野における通常の知識を有する者に明確に理解され得るであろう。
【課題を解決するための手段】
【０００７】
本明細書は、無線通信システムにおいて参照信号間のマルチプレキシング方法を提供する。
【０００８】
具体的に、端末により行われる方法は、無線通信システムにおいて復調参照信号（ｄｅｍｏｄｕｌａｔｉｏｎ  ｒｅｆｅｒｅｎｃｅ  ｓｉｇｎａｌ、ＤＭＲＳ）とＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）とをマルチプレキシング（ｍｕｌｔｉｐｌｅｘｉｎｇ）するための方法であって、端末により行われる方法は、前記ＤＭＲＳを基地局から受信するステップと、前記ＣＳＩ−ＲＳを前記基地局から受信するステップとを含み、特定シンボルで前記ＤＭＲＳと前記ＣＳＩ−ＲＳとの間の周波数分割マルチプレキシング（ｆｒｅｑｕｅｎｃｙ  ｄｉｖｉｓｉｏｎ  ｍｕｌｔｉｐｌｅｘｉｎｇ、ＦＤＭ）は、ＤＭＲＳタイプ（ｔｙｐｅ）に基づいて決定されることを特徴とする。
【０００９】
また、本明細書において前記ＤＭＲＳタイプは、ＤＭＲＳタイプ１またはＤＭＲＳタイプ２であることを特徴とする。
【００１０】
また、本明細書において前記ＤＭＲＳタイプがＤＭＲＳタイプ１に設定され、前記ＣＳＩ−ＲＳが特定用途で設定された場合、前記特定シンボルで前記ＤＭＲＳと前記ＣＳＩ−ＲＳとは、周波数分割多重化ＦＤＭされることを特徴とする。
【００１１】
また、本明細書において前記特定用途は、ビーム管理（ｂｅａｍ  ｍａｎａｇｅｍｅｎｔ）用途またはＴＲＳ（ｔｒａｃｋｉｎｇ  ｒｅｆｅｒｅｎｃｅ  ｓｉｇｎａｌ）用途であることを特徴とする。
【００１２】
また、本明細書において前記特定用途は、ＲＲＣ  ｓｉｇｎａｌｉｎｇに含まれる指示子（ｉｎｄｉｃａｔｏｒ）で区分されることを特徴とする。
【００１３】
また、本明細書において前記ＤＭＲＳタイプがＤＭＲＳタイプ２に設定された場合、前記特定シンボルで前記ＤＭＲＳと前記ＣＳＩ−ＲＳとは、周波数分割多重化ＦＤＭされることを特徴とする。
【００１４】
また、本明細書は、無線通信システムにおいて復調参照信号（ｄｅｍｏｄｕｌａｔｉｏｎ  ｒｅｆｅｒｅｎｃｅ  ｓｉｇｎａｌ、ＤＭＲＳ）とＳＲＳ（ｓｏｕｎｄｉｎｇ  ｒｅｆｅｒｅｎｃｅ  ｓｉｇｎａｌ）とをマルチプレキシング（ｍｕｌｔｉｐｌｅｘｉｎｇ）するための方法であって、端末により行われる方法は、前記ＤＭＲＳを基地局に送信するステップと、前記ＳＲＳを前記基地局に送信するステップとを含み、特定シンボルで前記ＤＭＲＳと前記ＳＲＳとの間の周波数分割マルチプレキシング（ｆｒｅｑｕｅｎｃｙ  ｄｉｖｉｓｉｏｎ  ｍｕｌｔｉｐｌｅｘｉｎｇ、ＦＤＭ）は、ＤＭＲＳタイプ（ｔｙｐｅ）に基づいて決定されることを特徴とする。
【００１５】
また、本明細書は、無線通信システムにおいて復調参照信号（ｄｅｍｏｄｕｌａｔｉｏｎ  ｒｅｆｅｒｅｎｃｅ  ｓｉｇｎａｌ、ＤＭＲＳ）とＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）とをマルチプレキシング（ｍｕｌｔｉｐｌｅｘｉｎｇ）するための端末であって、無線信号を送受信するためのＲＦ（Ｒａｄｉｏ  Ｆｒｅｑｕｅｎｃｙ）モジュールと、前記ＲＦモジュールと機能的に連結されているプロセッサとを備え、前記プロセッサは、前記ＤＭＲＳを基地局から受信し、及び
【００１６】
前記ＣＳＩ−ＲＳを前記基地局から受信するように設定され、特定シンボルで前記ＤＭＲＳと前記ＣＳＩ−ＲＳとの間の周波数分割マルチプレキシング（ｆｒｅｑｕｅｎｃｙ  ｄｉｖｉｓｉｏｎ  ｍｕｌｔｉｐｌｅｘｉｎｇ、ＦＤＭ）は、ＤＭＲＳタイプ（ｔｙｐｅ）に基づいて決定されることを特徴とする。
【発明の効果】
【００１７】
本明細書は、参照信号間周波数分割多重化方法を支援することにより、効率的な資源使用を可能にすることができるという効果がある。
【００１８】
本発明において得ることができる効果は、以上で言及した効果に制限されず、言及していないさらに他の効果は、下記の記載から本発明の属する技術分野における通常の知識を有する者に明確に理解され得るであろう。
【図面の簡単な説明】
【００１９】
本発明に関する理解を助けるために、詳細な説明の一部に含まれる添付図面は本発明に対する実施形態を提供し、詳細な説明とともに本発明の技術的特徴を説明する。
【００２０】
【図１】本明細書において提案する方法が適用され得るＮＲの全体的なシステム構造の一例を示した図である。
【図２】本明細書において提案する方法が適用され得る無線通信システムにおける上向きリンクフレームと下向きリンクフレームとの間の関係を示す。
【図３】本明細書において提案する方法が適用され得る無線通信システムで支援する資源グリッド（ｒｅｓｏｕｒｃｅ  ｇｒｉｄ）の一例を示す。
【図４】本明細書において提案する方法が適用され得るｓｅｌｆ−ｃｏｎｔａｉｎｅｄサブフレーム構造の一例を示す。
【図５】本発明が適用され得る無線通信システムにおけるトランシーバーユニットモデルを例示する。
【図６】ＤＭＲＳタイプの一例を示す。
【図７】ＤＭＲＳ位置の一例を示す。
【図８】本明細書において提案するＤＭＲＳ  ｔｙｐｅ１に対するパターンの一例を示した図である。
【図９】本明細書において提案するＤＭＲＳ  ｔｙｐｅ２に対するパターンの一例を示す。
【図１０】本明細書において提案するＤＭＲＳとＣＳＩ−ＲＳとをマルチプレキシングするための端末の動作方法の一例を示した順序図である。
【図１１】本明細書において提案するＤＭＲＳとＳＲＳとをマルチプレキシングするための端末の動作方法を示した順序図である。
【図１２】本明細書において提案する方法が適用され得る無線通信装置のブロック構成図を例示する。
【図１３】本発明の一実施形態に係る通信装置のブロック構成図を例示する。
【図１４】本明細書において提案する方法が適用され得る無線通信装置のＲＦモジュールの一例を示した図である。
【図１５】本明細書において提案する方法が適用され得る無線通信装置のＲＦモジュールのさらに他の一例を示した図である。
【発明を実施するための形態】
【００２１】
以下、本発明に係る好ましい実施形態を添付図を参照として詳細に説明する。添付図と共に以下に開示する詳細な説明は、本発明の例示的な実施形態を説明しようとするものであり、本発明が実施されることができる唯一な実施形態を示そうとするものではない。以下の詳細な説明は、本発明の完全な理解を提供するために具体的な細部事項を含む。しかし、当業者は、本発明がこのような具体的な細部事項なくとも、実施されることができるということを知っている。
【００２２】
いくつかの場合、本発明の概念が曖昧になることを避けるために、公知の構造及び装置は省略されるか、各構造及び装置の中核機能を中心としたブロック図の形式で示すことができる。
【００２３】
本明細書で、基地局は端末と直接的に通信を遂行するネットワークの終端ノード（ｔｅｒｍｉｎａｌ  ｎｏｄｅ）としての意味を有する。本文書で基地局によって遂行されるものと説明された特定の動作は、場合によっては基地局の上位ノード（ｕｐｐｅｒ  ｎｏｄｅ）によって遂行されてもよい。すなわち、基地局を含む多数のネットワークノード（ｎｅｔｗｏｒｋ  ｎｏｄｅｓ）からなるネットワークで端末との通信のために遂行される多様な動作は、基地局又は基地局以外の他のネットワークノードによって遂行され得ることは自明である。「基地局（ＢＳ：Ｂａｓｅ Ｓｔａｔｉｏｎ）」は、固定局（ｆｉｘｅｄ ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）、ｇＮＢ（ｇｅｎｅｒａｌ  ＮＢ）等の用語によって代替し得る。また、「端末（Ｔｅｒｍｉｎａｌ）」は、固定又は移動性を有し得、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ ｔｅｒｍｉｎａｌ）, ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ)、 ＭＴＣ（Ｍａｃｈｉｎｅ−Ｔｙｐｅ  ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置等の用語に代替し得る。
【００２４】
以下で、ダウンリンク（ＤＬ：ｄｏｗｎｌｉｎｋ）は基地局から端末への通信を意味し、アップリンク（ＵＬ：ｕｐｌｉｎｋ）は端末から基地局への通信を意味する。ダウンリンクで、送信機は基地局の一部であり、受信機は端末の一部であり得る。アップリンクで、送信機は端末の一部であり、受信機は基地局の一部であり得る。
【００２５】
以下の説明で使用される特定の用語は、本発明の理解を助けるために提供され、このような特定用語の使用は、本発明の技術的思想を外れない範囲で他の形態に変更され得る。
【００２６】
以下の技術は、ＣＤＭＡ(ｃｏｄｅ  ｄｉｖｉｓｉｏｎ  ｍｕｌｔｉｐｌｅ ａｃｃｅｓｓ)、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ(ｔｉｍｅ  ｄｉｖｉｓｉｏｎ  ｍｕｌｔｉｐｌｅ  ａｃｃｅｓｓ)、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ ｍｕｌｔｉｐｌｅ  ａｃｃｅｓｓ)、ＮＯＭＡ（ｎｏｎ−ｏｒｔｈｏｇｏｎａｌ  ｍｕｌｔｉｐｌｅ  ａｃｃｅｓｓ）等のような様々な無線接続システムに用いられることができる。ＣＤＭＡはＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現できる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現できる。ＯＦＤＭＡは、ＩＥＥＥ  ８０２．１１ （Ｗｉ−Ｆｉ）、ＩＥＥＥ ８０２．１６ （ＷｉＭＡＸ）、ＩＥＥＥ ８０２−２０、Ｅ−ＵＴＲＡ（ｅｖｏｌｖｅｄ ＵＴＲＡ）等のような無線技術で具現できる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ ｔｅｒｍ ｅｖｏｌｕｔｉｏｎ）は、Ｅ−ＵＴＲＡを用いるＥ−ＵＭＴＳ（ｅｖｏｌｖｅｄ  ＵＭＴＳ）の一部であって、ダウンリンクでＯＦＤＭＡを採用し、アップリンクでＳＣ−ＦＤＭＡを採用する。ＬＴＥ−Ａ（ａｄｖａｎｃｅｄ）は３ＧＰＰ  ＬＴＥの進化である。
【００２７】
本発明の実施例は、無線接続システムであるＩＥＥＥ  ８０２、３ＧＰＰ、及び３ＧＰＰ２のうち少なくとも一つに開示された標準文書によって裏付けられることができる。すなわち、本発明の実施例のうち、本発明の技術的思想を明確に示すために説明していない段階または部分は、前記文書により裏付けられることができる。また、本文書で開示している全ての用語は、前記標準文書によって説明されることができる。
【００２８】
説明を明確にするために、３ＧＰＰ  ＬＴＥ／ＬＴＥ−Ａを中心に記述するが、本発明の技術的特徴がこれに制限されるわけではない。
【００２９】
用語の定義
【００３０】
eLTE eNB：eLTE eNBは、EPC（Evolved Packet Core）及びNGC（Next Generation Core）に対する連結を支援するeNBの進化（evolution）である。
【００３１】
gNB：NGCとの連結だけでなく、NRを支援するノード。
【００３２】
新たなRAN：NRまたはE-UTRAを支援するか、またはNGCと相互作用する無線アクセスネットワーク。
【００３３】
ネットワークスライス（network slice）：ネットワークスライスは、終端間の範囲と共に特定要求事項を要求する特定市場シナリオに対して最適化されたソリューションを提供するようにoperatorにより定義されたネットワーク。
【００３４】
ネットワーク機能（network function）：ネットワーク機能は、よく定義された外部インターフェースとよく定義された機能的動作を有するネットワークインフラ内での論理的ノード。
【００３５】
NG-C：新たなRANとNGCとの間のNG２レファレンスポイント（reference point）に使われる制御平面インターフェース。
【００３６】
NG-U：新たなRANとNGCとの間のNG３レファレンスポイント（reference point）に使われるユーザー平面インターフェース。
【００３７】
非独立型（Non-standalone）NR：gNBがLTE eNBをEPCに制御プレーン連結のためのアンカーとして要求するか、またはeLTE eNBをNGCに制御プレーン連結のためのアンカーとして要求する配置構成。
【００３８】
非独立型E-UTRA：eLTE eNBがNGCに制御プレーン連結のためのアンカーとしてgNBを要求する配置構成。
【００３９】
ユーザー平面ゲートウェイ：NG-Uインターフェースの終端点。
【００４０】
システム一般
【００４１】
図１は、本明細書で提案する方法が適用できるNRの全体的なシステム構造の一例を示した図である。
【００４２】
図１を参照すると、NG-RANはNG-RAユーザー平面（新たなAS sublayer／PDCP／RLC／MAC／PHY）及びUE（User Equipment）に対する制御平面（RRC）プロトコル終端を提供するgNBで構成される。
【００４３】
前記gNBは、Xnインターフェースを通じて相互連結される。
【００４４】
また、前記gNBは、NGインターフェースを通じてNGCに連結される。
【００４５】
より具体的には、前記gNBはN２インターフェースを通じてAMF（Access and Mobility Management Function）に、N３インターフェースを通じてUPF（User Plane Function）に連結される。
【００４６】
NRヌメロロジー（Numerology）及びフレーム（frame）構造
【００４７】
NRシステムでは、多数のヌメロロジー（numerology）が支援できる。ここで、ヌメロロジーはサブキャリア間隔（subcarrier spacing）とCP（Cyclic Prefix）オーバーヘッドにより定義できる。この際、多数のサブキャリア間隔は基本サブキャリア間隔を整数N（または、μ）にスケーリング（scaling）することにより誘導できる。また、非常に高い搬送波周波数で非常に低いサブキャリア間隔を利用しないと仮定されても、用いられるヌメロロジーは周波数帯域と独立的に選択できる。
【００４８】
また、NRシステムでは多数のヌメロロジーに従う多様なフレーム構造が支援できる。
【００４９】
以下、NRシステムで考慮できるOFDM（Orthogonal Frequency Division Multiplexing）ヌメロロジー及びフレーム構造を説明する。
【００５０】
NRシステムで支援される多数のOFDMヌメロロジーは、表１のように定義できる。
【００５１】
【表１】
2020528238.tif 000003
【００５２】
NRシステムにおけるフレーム構造（frame structure）と関連して、時間領域の多様なフィールドのサイズは
2020528238.tif 000004
の時間単位の倍数として表現される。
【００５３】
ここで、
2020528238.tif 000005
であり、
2020528238.tif 000006
である。ダウンリンク（downlink）及びアップリンク（uplink）転送は
2020528238.tif 000007
の区間を有する無線フレーム（radio frame）で構成される。ここで、無線フレームは各々
2020528238.tif 000008
の区間を有する１０個のサブフレーム（subframe）で構成される。
【００５４】
この場合、アップリンクに対する１セットのフレーム及びダウンリンクに対する１セットのフレームが存在することができる。
【００５５】
図２は、本明細書で提案する方法が適用できる無線通信システムにおけるアップリンクフレームとダウンリンクフレームとの間の関係を示す。
【００５６】
図２に示すように、端末（User Equipment、UE）からのアップリンクフレーム番号iの転送は、
【００５７】
該当端末での該当ダウンリンクフレームの開始より
2020528238.tif 000009
以前に始めなければならない。
【００５８】
ヌメロロジーμに対して、スロット（slot）はサブフレーム内で
2020528238.tif 000010
の増加する順に番号が付けられて、無線フレーム内で
2020528238.tif 000011
の増加する順に番号が付けられる。１つのスロットは
2020528238.tif 000012
の連続するOFDMシンボルで構成され、
2020528238.tif 000013
は用いられるヌメロロジー及びスロット設定（slot configuration）によって決定される。サブフレームでスロット
2020528238.tif 000014
の開始は同一サブフレームでOFDMシンボル
2020528238.tif 000015
の開始と時間的に整列される。
【００５９】
全ての端末が同時に送信及び受信できるものではなく、これはダウンリンクスロット（downlink slot）またはアップリンクスロット（uplink slot）の全てのOFDMシンボルが利用できないことを意味する。
【００６０】
表２はヌメロロジーμでの一般（normal）CPに対するスロット当たりOFDMシンボルの数を示し、表３はヌメロロジーμでの拡張（extended）CPに対するスロット当たりOFDMシンボルの数を示す。
【００６１】
【表２】
2020528238.tif 000016
【００６２】
【表３】
2020528238.tif 000017
【００６３】
NR物理資源（NR Physical Resource）
【００６４】
NRシステムにおける物理資源（physical resource）と関連して、アンテナポート（antenna port）、資源グリッド（resource grid）、資源要素（resource element）、資源ブロック（resource block）、キャリアパート（carrier part）などが考慮できる。
【００６５】
以下、NRシステムで考慮できる前記物理資源に対して具体的に説明する。
【００６６】
まず、アンテナポートと関連して、アンテナポートはアンテナポート上のシンボルが運搬されるチャンネルが同一なアンテナポート上の他のシンボルが運搬されるチャンネルから推論できるように定義される。１つのアンテナポート上のシンボルが運搬されるチャンネルの広範囲特性（large-scale property）が他のアンテナポート上のシンボルが運搬されるチャンネルから類推できる場合、２つのアンテナポートはQC／QCL（quasico-locatedまたはquasi co-location）関係にいるということができる。ここで、前記広範囲特性は遅延拡散（Delay spread）、ドップラー拡散（Doppler spread）、周波数シフト（Frequency shift）、平均受信パワー（Average received power）、受信タイミング（Received Timing）のうち、１つ以上を含む。
【００６７】
図３は、本明細書で提案する方法が適用できる無線通信システムで支援する資源グリッド（resource grid）の一例を示す。
【００６８】
図３を参考すると、資源グリッドが周波数領域上に
2020528238.tif 000018
サブキャリアで構成され、１つのサブフレームが１４・２μOFDMシンボルで構成されることを例示的に記述するが、これに限定されるものではない。
【００６９】
NRシステムにおいて、転送される信号（transmitted signal）は
2020528238.tif 000019
サブキャリアで構成される１つまたはその以上の資源グリッド及び
2020528238.tif 000020
のOFDMシンボルにより説明される。
【００７０】
ここで、
2020528238.tif 000021
である。前記
2020528238.tif 000022
は最大転送帯域幅を示し、これは、ヌメロロジーだけでなく、アップリンクとダウンリンクとの間にも変わることができる。
【００７１】
この場合、図３のように、ヌメロロジーμ及びアンテナポートｐ別に１つの資源グリッドが設定できる。
【００７２】
ヌメロロジーμ及びアンテナポートｐに対する資源グリッドの各要素は資源要素（resource element）と称され、インデックス対
2020528238.tif 000023
により固有的に識別される。ここで、
2020528238.tif 000024
は周波数領域上のインデックスであり、
2020528238.tif 000025
はサブフレーム内でシンボルの位置を称する。
【００７３】
スロットで資源要素を称する時には、インデックス対
2020528238.tif 000026
が用いられる。
【００７４】
ここで、
2020528238.tif 000027
である。ヌメロロジーμ及びアンテナポートｐに対する資源要素
2020528238.tif 000028
は複素値（complex value）
2020528238.tif 000029
に該当する。混同（confusion）する危険がない場合、または特定アンテナポートまたはヌメロロジーが特定されない場合には、インデックスｐ及びμはドロップ（drop）されることができ、その結果、複素値は
2020528238.tif 000030
または
2020528238.tif 000031
になることができる。また、物理資源ブロック（physical resource block）は周波数領域上の
2020528238.tif 000032
連続的なサブキャリアとして定義される。周波数領域上で、物理資源ブロックは０から
2020528238.tif 000033
まで番号が付けられる。この際、周波数領域上の物理資源ブロック番号（physical resource block number）
2020528238.tif 000034
と資源要素
2020528238.tif 000035
との間の関係は、数式１のように与えられる。
【００７５】
【数１】
2020528238.tif 000036
【００７６】
また、キャリアパート（carrier part）と関連して、端末は資源グリッドのサブセット（subset）のみを用いて受信または転送するように設定できる。
【００７７】
この際、端末が受信または転送するように設定された資源ブロックの集合（set）は周波数領域上で０から
2020528238.tif 000037
まで番号が付けられる。
【００７８】
自己完備（Self-contained）サブフレーム構造
【００７９】
図４は、本発明が適用できる無線通信システムにおける自己完備（Self-contained）サブフレーム構造を例示する図である。
【００８０】
ＴＤＤシステムにおけるデータ転送レイテンシー（latency）を最小化するために５世帯（５G：5generation）new RATでは図４のような自己完備（self-contained）サブフレーム構造を考慮している。
【００８１】
図４で斜線を施した領域（シンボルインデックス０）はダウンリンク（DL）制御領域を示し、黒色部分（シンボルインデックス１３）はアップリンク（UL）制御領域を示す。陰影表示のない領域はDLデータ転送のために使われることもでき、またはULデータ転送のために使われることもできる。このような構造の特徴は、１つのサブフレーム内でDL転送とUL転送が順次に進行されて、サブフレーム内でDLデータが転送され、UL ACK／NACKも受信できる。結果的に、データ転送エラー発生時にデータ再転送までかかる時間を減らすようになり、これによって、最終データ伝達のlatencyを最小化することができる。
【００８２】
このようなself-containedサブフレーム構造で、基地局とUEが送信モードから受信モードへの転換過程、または受信モードから送信モードへの転換過程のための時間ギャップ（time gap）が必要である。このためにself-containedサブフレーム構造で、DLからULに転換される時点の一部OFDMシンボルがガード区間（GP：guard period）に設定されるようになる。
【００８３】
アナログビームフォーミング（Analog beamforming）
【００８４】
ミリメートル波（Millimeter Wave、mmW）では波長が短くなって同一面積に多数個のアンテナ要素（antenna element）の設置が可能である。即ち、３０GHz帯域で波長は１ｃｍであって、４X４（４by４）ｃｍのパネル（panel）に０．５ラムダ（lambda）（即ち、波長）間隔で２−次元配列形態に総６４（８x８）のantenna element設置が可能である。したがって、mmWでは多数個のantenna elementを使用してビームフォーミング（BF：beamforming）利得を高めてカバレッジを増加させるか、または歩留り（throughput）を高めようとする。
【００８５】
この場合にantenna element別に転送パワー及び位相調節が可能であるようにトランシーバーユニット（TXRU：Transceiver Unit）を有すれば、周波数資源別に独立的なビームフォーミングが可能である。しかしながら、１００余個のantenna element全てにTXRUを設置するには価格面で実効性が落ちる問題を有するようになる。
【００８６】
したがって、１つのTXRUに多数個のantenna elementをマッピングし、アナログ位相シフター（analog phase shifter）でビーム（beam）の方向を調節する方式が考慮されている。このようなanalog BF方式は全帯域で１つのbeam方向のみを作ることができるので、周波数選択的BFを行うことができないという短所がある。
【００８７】
デジタル（Digital）BFとanalog BFの中間形態に、Q個のantenna elementより少ない個数であるB個のTXRUを有するハイブリッドビームフォーミング（hybrid BF）を考慮することができる。この場合にB個のTXRUとQ個のantenna elementの連結方式によって差はあるが、同時に転送することができるbeamの方向はB個以下に制限される。
【００８８】
以下、図面を参照してTXRUとantenna elementの連結方式の代表的な一例を説明する。
【００８９】
図５は、本発明が適用できる無線通信システムにおけるトランシーバーユニットモデルを例示する。
【００９０】
TXRU仮想化（virtualization）モデルはTXRUの出力信号とantenna elementsの出力信号との関係を示す。antenna elementとTXRUとの相関関係によって図５（ａ）のようにTXRU仮想化（virtualization）モデルオプション−１：サブ−配列分割モデル（sub-array partition model）と、図５（ｂ）のようにTXRU仮想化モデルオプション−２：全域連結（full-connection）モデルとに区分できる。
【００９１】
図５（ａ）を参照すると、サブ−配列分割モデル（sub-array partition model）の場合、antenna elementは多重のアンテナ要素グループに分割され、各TXRUはグループのうちの１つと連結される。この場合にantenna elementは１つのTXRUのみに連結される。
【００９２】
図５（ｂ）を参照すると、全域連結（full-connection）モデルの場合、多重のTXRUの信号が結合されて単一のアンテナ要素（または、アンテナ要素の配列）に伝達される。即ち、TXRUが全てのアンテナelementに連結された方式を示す。この場合に、アンテナelementは全てのTXRUに連結される。
【００９３】
図５で、ｑは１つの列（column）内のM個のような偏波（co-polarized）を有するアンテナ要素の送信信号ベクトルである。wは広域TXRU仮想化加重値ベクトル（wideband TXRU virtualization weight vector）であり、Wはアナログ位相シフター（analog phase shifter）により掛けられる位相ベクトルを示す。即ち、Wによりanalog beamformingの方向が決定される。xは、M_TXRU個のTXRUの信号ベクトルである。
【００９４】
ここで、アンテナポートとTXRUとのマッピングは、一対一（1-to-1）または一対多（1-to-many）でありうる。
【００９５】
図５で、TXRUとアンテナ要素との間のマッピング（TXRU-to-element mapping）は１つの例示を示すものであり、本発明はこれに限定されるものではなく、ハードウェア観点で、その他の多様な形態に具現できるTXRUとアンテナ要素との間のマッピングにも本発明が同一に適用できる。
【００９６】
ＰＵＳＣＨに対するＤＭＲＳ（ｄｅｍｏｄｕｌａｔｉｏｎ  ｒｅｆｅｒｅｎｃｅ  ｓｉｇｎａｌ）
【００９７】
まず、ＤＭＲＳに対するシーケンス生成（ｓｅｑｕｅｎｃｅ  ｇｅｎｅｒａｔｉｏｎ）について説明する。
【００９８】
ＰＵＳＣＨに対するｔｒａｎｓｆｏｒｍ  ｐｒｅｃｏｄｉｎｇがｅｎａｂｌｅｄされなかった場合（すなわち、ＣＰ−ＯＦＤＭである場合）、ｒｅｆｅｒｅｎｃｅ  ｓｉｇｎａｌ  ｓｅｑｕｅｎｃｅ  ｒ（ｍ）は、下記の数式２によって生成される。
【００９９】
【数２】
2020528238.tif 000038
【０１００】
そして、ＰＵＳＣＨに対するｔｒａｎｓｆｏｒｍ  ｐｒｅｃｏｄｉｎｇがｅｎａｂｌｅｄされた場合（すなわち、ＤＦＴ−ｓ−ＯＦＤＭである場合）、ｒｅｆｅｒｅｎｃｅ  ｓｉｇｎａｌ  ｓｅｑｕｅｎｃｅ  ｒ（ｍ）は、下記の数式３によって生成される。
【０１０１】
【数３】
2020528238.tif 000039
【０１０２】
次に、物理資源へのマッピング（ｍａｐｐｉｎｇ  ｔｏ  ｐｈｙｓｉｃａｌｒｅｓｏｕｒｃｅｓ）について説明する。
【０１０３】
ＰＵＳＣＨ  ＤＭ−ＲＳは、ｈｉｇｈｅｒ  ｌａｙｅｒ  ｓｉｇｎａｌｉｎｇにより与えられるように（ＤＭＲＳ  ｃｏｎｆｉｇｕｒａｔｉｏｎ）、ｔｙｐｅ１またはｔｙｐｅ２によって物理資源にマッピングされる。
【０１０４】
ＰＵＳＣＨ  ＤＭ−ＲＳ  ｔｙｐｅ１に対して、前記シーケンスｒ（ｍ）は、下記の数式４によって物理資源要素にマッピングされるであろう。
【０１０５】
【数４】
2020528238.tif 000040
【０１０６】
数式４において、
2020528238.tif 000041
2020528238.tif 000042
2020528238.tif 000043
及びΔは、下記の表４により与えられる。
【０１０７】
ＰＵＳＣＨ  ＤＭ−ＲＳ  ｔｙｐｅ２に対して、シーケンスｒ（ｍ）は、数式５によって物理資源にマッピングされる。
【０１０８】
【数５】
2020528238.tif 000044
【０１０９】
ここで、
2020528238.tif 000045
2020528238.tif 000046
及びΔは、下記の表５により与えられ、ＰＵＳＣＨ  ＤＭ−ＲＳ  ｔｙｐｅ２は、ＰＵＳＣＨに対するｔｒａｎｓｆｏｒｍ  ｐｒｅｃｏｄｉｎｇがｅｎａｂｌｅされるとき、支援されない。
【０１１０】
量
2020528238.tif 000047
は、ＰＵＳＣＨ送信の始めに相対的に定義される。
【０１１１】
表４は、ＰＵＳＣＨ  ＤＭ−ＲＳ  ｔｙｐｅ１に対するｐａｒａｍｅｔｅｒの一例である。
【０１１２】
【表４】
2020528238.tif 000048
【０１１３】
表５は、ＰＵＳＣＨ  ＤＭ−ＲＳ  ｔｙｐｅ２に対するｐａｒａｍｅｔｅｒの一例である。
【０１１４】
【表５】
2020528238.tif 000049
【０１１５】
ＰＤＳＣＨに対するＤＭＲＳ
【０１１６】
まず、ＰＤＳＣＨに対するＤＭＲＳのシーケンス（Ｓｅｑｕｅｎｃｅ）は、下記の数式６によって生成される。
【０１１７】
すなわち、端末は、ｒｅｆｅｒｅｎｃｅ  ｓｉｇｎａｌ  ｓｅｑｕｅｎｃｅ  ｒ（ｍ）が下記の数式６により定義されると仮定する。
【０１１８】
【数６】
2020528238.tif 000050
【０１１９】
次に、物理資源へのマッピング（ｍａｐｐｉｎｇ  ｔｏ  ｐｈｙｓｉｃａｌｒｅｓｏｕｒｃｅｓ）について説明する。
【０１２０】
ＰＤＳＣＨ  ＤＭＲＳは、ｈｉｇｈｅｒ  ｌａｙｅｒ  ｓｉｇｎａｌｉｎｇにより与えられるように（ＤＭＲＳ  ｃｏｎｆｉｇｕｒａｔｉｏｎ）、ｔｙｐｅ１またはｔｙｐｅ２によって物理資源にマッピングされると端末は仮定する。
【０１２１】
ＰＤＳＣＨ  ＤＭ−ＲＳ  ｔｙｐｅ１に対して、前記シーケンスｒ（ｍ）は、上記の数式４によって物理資源要素にマッピングされるであろう。
【０１２２】
ＰＤＳＣＨ  ＤＭ−ＲＳ  ｔｙｐｅ２に対して、シーケンスｒ（ｍ）は、上記の数式５によって物理資源にマッピングされる。
【０１２３】
上記の数式５に対して、ＰＤＳＣＨ  ＤＭＲＳの場合、量
2020528238.tif 000051
は、特定ｈｉｇｈｅｒ  ｌａｙｅｒ  ｐａｒａｍｅｔｅｒに依存し、
【０１２４】
・ＰＤＳＣＨ  ｍａｐｐｉｎｇ  ｔｙｐｅ  Ａに対して、
2020528238.tif 000052
である場合、
2020528238.tif 000053
であり、そうでない場合、
2020528238.tif 000054
であり、
【０１２５】
・ＰＤＳＣＨ  ｍａｐｐｉｎｇ  ｔｙｐｅ  Ｂに対して、
2020528238.tif 000055
は、ＤＭＲＳがＰＤＳＣＨ送信と連関したＰＤＣＣＨ  ｓｃｈｅｄｕｌｉｎｇが検出されたＣＯＲＥＳＥＴのすぐ後ろのＯＦＤＭシンボルにマッピングされるように定義される。
【０１２６】
ＣＳＩ報告（ｒｅｐｏｒｔｉｎｇ）
【０１２７】
ＮＲは、ＣＳＩ  ｒｅｐｏｒｔｉｎｇ関連の次の３つのｔｉｍｅ−ｄｏｍａｉｎ  ｂｅｈａｖｉｏｒを支援する。
【０１２８】
同様に、（ａｎａｌｏｇ）  ｂｅａｍ  ｍａｎａｇｅｍｅｎｔのためのｒｅｐｏｒｔｉｎｇも３つのｔｉｍｅ−ｄｏｍａｉｎ  ｂｅｈａｖｉｏｒのうち、一部あるいは全部を支援できる。
【０１２９】
（１）Ａｐｅｒｉｏｄｉｃ  ＣＳＩ  ｒｅｐｏｒｔｉｎｇ
【０１３０】
これは、ｔｒｉｇｇｅｒｉｎｇの際にのみＣＳＩ報告が行われる。
【０１３１】
（２）Ｓｅｍｉ−ｐｅｒｓｉｓｔｅｎｔ  ＣＳＩ  ｒｅｐｏｒｔｉｎｇ
【０１３２】
Ａｃｔｉｖａｔｉｏｎされれば、ＣＳＩ報告を（特定周期で）始め、Ｄｅａｃｔｉｖａｔｉｏｎされれば、ＣＳＩ報告を中断する。
【０１３３】
（３）Ｐｅｒｉｏｄｉｃ  ＣＳＩ  ｒｅｐｏｒｔｉｎｇ
【０１３４】
ＲＲＣに設定された周期（ｐｅｒｉｏｄｉｃｉｔｙ）とスロットオフセット（ｓｌｏｔ  ｏｆｆｓｅｔ）とでＣＳＩ報告を行う。
【０１３５】
また、ＣＳＩ  ａｃｑｕｉｓｉｔｉｏｎの際、チャネル測定のためのＤＬ  ＲＳ（下向きリンク参照信号）も下記の３つのｔｉｍｅ−ｄｏｍａｉｎ  ｂｅｈａｖｉｏｒを支援し、同様に、ｂｅａｍ  ｍａｎａｇｅｍｅｎｔのためのＤＬ  ＲＳも下記の３つのｔｉｍｅ−ｄｏｍａｉｎ  ｂｅｈａｖｉｏｒのうち、一部あるいは全部を支援できる。
【０１３６】
Ｂｅａｍ  ｍａｎａｇｅｍｅｎｔのためのＤＬ  ＲＳでは、基本的にＣＳＩ−ＲＳが含まれ得るし、他の下向きリンク信号も活用される可能性がある。
【０１３７】
他の下向きリンク信号の例示として、ｍｏｂｉｌｉｔｙ  ＲＳ、ｂｅａｍ  ＲＳ、ｓｙｎｃｈｒｏｎｉｚａｔｉｏｎ  ｓｉｇｎａｌ（ＳＳ）、ＳＳ  ｂｌｏｃｋ、ＤＬ  ＤＭＲＳｓ（ｅ．ｇ．  ＰＢＣＨ  ＤＭＲＳ、ＰＤＣＣＨ  ＤＭＲＳ）などが活用され得る。
【０１３８】
（１）Ａｐｅｒｉｏｄｉｃ  ＣＳＩ−ＲＳ
【０１３９】
Ｔｒｉｇｇｅｒｉｎｇの際にのみＣＳＩ−ＲＳ測定を行う。
【０１４０】
（２）Ｓｅｍｉ−ｐｅｒｓｉｓｔｅｎｔ  ＣＳＩ−ＲＳ
【０１４１】
Ａｃｔｉｖａｔｉｏｎされれば、ＣＳＩ−ＲＳ測定を（特定周期で）始め、Ｄｅａｃｔｉｖａｔｉｏｎされれば、ＣＳＩ−ＲＳ測定を中断する。
【０１４２】
（３）Ｐｅｒｉｏｄｉｃ  ＣＳＩ−ＲＳ
【０１４３】
ＲＲＣに設定された周期とｓｌｏｔ  ｏｆｆｓｅｔでＣＳＩ−ＲＳ測定を行う。
【０１４４】
また、ＣＳＩ  ａｃｑｕｉｓｉｔｉｏｎの際、基地局が端末として指定する干渉測定資源（ｉｎｔｅｒｆｅｒｅｎｃｅ  ｍｅａｓｕｒｅｍｅｎｔ  ｒｅｓｏｕｒｃｅ：ＩＭＲ）にＬＴＥでも活用されたｚｅｒｏ−ｐｏｗｅｒ（ＺＰ）  ＣＳＩ−ＲＳ基盤干渉測定方式が支援され得る。
【０１４５】
追加に、ＮＺＰ（ｎｏｎ−ｚｅｒｏ−ｐｏｗｅｒ）  ＣＳＩ−ＲＳ基盤干渉測定方式やＤＭＲＳ基盤干渉測定方式のうち、少なくとも１つの方式が支援され得る。
【０１４６】
特に、ＬＴＥシステムは、ＺＰ  ＣＳＩ−ＲＳ基盤ＩＭＲが半−静的に設定（ｖｉａ  ＲＲＣ  ｓｉｇｎａｌｉｎｇ）されたのに対し、ＮＲシステムは、これを動的に設定する方式を支援する予定であり、次のような３つのｔｉｍｅ−ｄｏｍａｉｎ  ｂｅｈａｖｉｏｒを支援できる。
【０１４７】
（１）Ａｐｅｒｉｏｄｉｃ  ＩＭＲ  ｗｉｔｈ  ＺＰ  ＣＳＩ−ＲＳ
【０１４８】
（２）Ｓｅｍｉ−ｐｅｒｓｉｓｔｅｎｔ  ＩＭＲ  ｗｉｔｈ  ＺＰ  ＣＳＩ−ＲＳ
【０１４９】
（３）Ｐｅｒｉｏｄｉｃ  ＩＭＲ  ｗｉｔｈ  ＺＰ  ＣＳＩ−ＲＳ
【０１５０】
したがって、ＣＳＩ測定及び報告を構成するチャネル推定、干渉推定、及び報告に対して次のように様々なｔｉｍｅ  ｄｏｍａｉｎ  ｂｅｈａｖｉｏｒの組み合わせが可能である。（以下において、ＡＰ：ａｐｅｒｉｏｄｉｃ、ＳＰ：ｓｅｍｉ−ｐｅｒｓｉｓｔｅｎｔ、ＰＲ：ｐｅｒｉｏｄｉｃという）
【０１５１】
Ｅｘ１）ＡＰ  ＣＳＩ  ｒｅｐｏｒｔｉｎｇ  ｗｉｔｈ  ＡＰ／ＳＰ／ＰＲＮＺＰ  ＣＳＩ−ＲＳ  ｆｏｒ  ｃｈａｎｎｅｌ  ｍｅａｓｕｒｅｍｅｎｔ及びＡＰ／ＳＰ／ＰＲ  ＺＰ  ＣＳＩ−ＲＳ  ｆｏｒ  ｉｎｔｅｒｆｅｒｅｎｃｅ  ｍｅａｓｕｒｅｍｅｎｔ
【０１５２】
Ｅｘ２）ＳＰ  ＣＳＩ  ｒｅｐｏｒｔｉｎｇ  ｗｉｔｈ  ＳＰ／ＰＲ  ＮＺＰ  ＣＳＩ−ＲＳ  ｆｏｒ  ｃｈａｎｎｅｌ  ｍｅａｓｕｒｅｍｅｎｔ及びＳＰ／ＰＲ  ＺＰ  ＣＳＩ−ＲＳ  ｆｏｒ  ｉｎｔｅｒｆｅｒｅｎｃｅ  ｍｅａｓｕｒｅｍｅｎｔ
【０１５３】
Ｅｘ３）ＰＲ  ＣＳＩ  ｒｅｐｏｒｔｉｎｇ  ｗｉｔｈ  ＰＲ  ＮＺＰ  ＣＳＩ−ＲＳ  ｆｏｒ  ｃｈａｎｎｅｌ  ｍｅａｓｕｒｅｍｅｎｔ及びＰＲ  ＺＰ  ＣＳＩ−ＲＳ  ｆｏｒ  ｉｎｔｅｒｆｅｒｅｎｃｅ  ｍｅａｓｕｒｅｍｅｎｔ
【０１５４】
上記の例示において、ＡＰ  ＲＳ／ＩＭＲは、ＡＰ  ｒｅｐｏｒｔｉｎｇにのみ、ＳＰ  ＲＳ／ＩＭＲは、ＡＰあるいはＳＰ  ｒｅｐｏｒｔｉｎｇにのみ、ＰＲ  ＲＳ／ＩＭＲは、全てのｒｅｐｏｒｔｉｎｇに対して使用されることを仮定したが、これに制限されない。
【０１５５】
また、ＲＳとＩＭＲは、全てｒｅｓｏｕｒｃｅ  ｓｅｔｔｉｎｇに含まれ、これらの用途、すなわち、チャネル推定用であるか、または干渉推定用であるかは、ｍｅａｓｕｒｅｍｅｎｔ  ｓｅｔｔｉｎｇで各リンクに対する設定を介して指示されることができる。
【０１５６】
そして、ＣＳＩ−ＲＳのｂａｎｄｗｉｄｔｈ（ＢＷ）は、既存のｗｉｄｅｂａｎｄ  ＣＳＩ−ＲＳだけでなく、ｐａｒｔｉａｌ  ｂａｎｄ  ＣＳＩ−ＲＳと命名されるＲＳが送信され得る。
【０１５７】
ここで、前記ｐａｒｔｉａｌ  ｂａｎｄは、同一ｎｕｍｅｒｏｌｏｇｙ（ｅ．ｇ．  ｓｕｂｃａｒｒｉｅｒ  ｓｐａｃｉｎｇ）を有する周波数単位であるＢＷＰ（ｂａｎｄｗｉｄｔｈ  ｐａｒｔ）単位に定義されるか、あるいはＢＷＰ内の一部ＰＲＢ  ｓｅｔに対して定義されることができる。
【０１５８】
このようなＣＳＩ−ＲＳ  ｂａｎｄ設定は、ＲＲＣ階層メッセージであるｒｅｓｏｕｒｃｅ  ｓｅｔｔｉｎｇを介して指示されることができる。
【０１５９】
以下、本明細書において提案するＤＭＲＳと特定ＲＳ（例：ＣＳＩ−ＲＳまたはＳＲＳ）との間のＦＤＭ（ｆｒｅｑｕｅｎｃｙ  ｄｉｖｉｓｉｏｎ  ｍｕｌｔｉｐｌｅｘｉｎｇ）方法について説明する。
【０１６０】
ＮＲシステムは、周波数領域パターンによって２つのＤＭＲＳ  ｔｙｐｅを支援する。図６を参考してより具体的に説明する。
【０１６１】
すなわち、図６は、ＤＭＲＳタイプの一例を示す。
【０１６２】
ＤＭＲＳシンボルの個数は、１シンボル、２シンボル、または２シンボル以上になることができる。
【０１６３】
ＮＲシステムにおいて、１つのスロット（ｓｌｏｔ）内に含まれるシンボルの数は、１４シンボルまたは、７シンボル、または７シンボル以下（ミニスロット（ｍｉｎｉ−ｓｌｏｔ）ｃａｓｅ）に様々に構成可能である。
【０１６４】
前記ミニスロットは、２、４、または７ｓｙｍｂｏｌで構成されるスロットを意味する。
【０１６５】
１４シンボルまたは７シンボルで構成されるｓｌｏｔにおいて、ＰＤＳＣＨ（ｐｈｙｓｉｃａｌ  ｄｏｗｎｌｉｎｋ  ｓｈａｒｅｄ  ｃｈａｎｎｅｌ）またはＰＵＳＣＨ（ｐｈｙｓｉｃａｌ  ｕｐｌｉｎｋ  ｓｈａｒｅｄ  ｃｈａｎｎｅｌ）復調（ｄｅｍｏｄｕｌａｔｉｏｎ）のための１番目のＤＭＲＳのシンボル位置は、システム帯域幅によってｓｌｏｔの３番目あるいは４番目のシンボル位置に決定されることができる。
【０１６６】
そして、２番目のＤＭＲＳシンボルは、１番目のＤＭＲＳシンボルのすぐ後ろに続いて送信されるか、または省略されることができる。
【０１６７】
また、前記１シンボルないし２シンボルのＤＭＲＳ（「ｆｒｏｎｔ−ｌｏａｄｅｄ  ＤＭＲＳ」と呼ぶ）と別個に、ｈｉｇｈ  Ｄｏｐｐｌｅｒ  ＵＥなどのために追加的なＤＭＲＳ（「ａｄｄｉｔｉｏｎａｌ  ＤＭＲＳ」）と呼ばれるＤＭＲＳが（ｓｌｏｔの中半または後半部に）追加的に送信されることができる。
【０１６８】
前記ＤＭＲＳ設計（または、設定）方法は、下向きリンク（ＤＬ：ｄｏｗｎｌｉｎｋ）と上向きリンク（ＵＬ：ｕｐｌｉｎｋ）の両方に適用されることができる。
【０１６９】
そして、前述したＤＭＲＳ設計方法は、今後、ＳＬ（ｓｉｄｅｌｉｎｋ）にも適用されることができる。
【０１７０】
ＳＬ  ＤＭＲＳは、端末が送信するＤＭＲＳという観点でＵＬ  ＤＭＲＳの属性をそのまましたがうことができる。
【０１７１】
すなわち、本明細書において提案するＵＬ  ＤＭＲＳ関連技数は、ＳＬ  ＤＭＲＳにも適用可能である。
【０１７２】
図７は、ＤＭＲＳ位置の一例を示す。
【０１７３】
以下、本明細書において提案するＤＬ  ＤＭＲＳとＣＳＩ−ＲＳ、ＵＬ  ＤＭＲＳとＳＲＳとの間の同一シンボルでのマルチプレキシング（ｍｕｌｔｉｐｌｅｘｉｎｇ）、より具体的に、周波数領域マルチプレキシング（ｆｒｅｑｕｅｎｃｙ  ｄｏｍａｉｎ  ｍｕｌｔｉｐｌｅｘｉｎｇ、ＦＤＭ）方法について説明する。
【０１７４】
ＤＭＲＳ  ｔｙｐｅ１は、最大８−ポートまで支援し、ＰＲＢ内で各ＤＭＲＳ  ｐｏｒｔの位置及びｃｏｖｅｒ  ｃｏｄｅ値
2020528238.tif 000056
の一例は、図８のとおりである。
【０１７５】
図７の場合、２ｓｙｍｂｏｌのｆｒｏｎｔ−ｌｏａｄ  ＤＭＲＳ、ｎｏ  ａｄｄｉｔｉｏｎａｌ  ＤＭＲＳ、１４ｓｙｍｂｏｌを含むｓｌｏｔを仮定した。
【０１７６】
図８は、本明細書において提案するＤＭＲＳ  ｔｙｐｅ１に対するパターンの一例を示した図である。
【０１７７】
そして、ＤＭＲＳ  ｔｙｐｅ２は、最大１２−ポートまで支援し、図８と同じ仮定をする。
【０１７８】
すなわち、図９は、本明細書において提案するＤＭＲＳ  ｔｙｐｅ２に対するパターンの一例を示す。
【０１７９】
また、ＮＲシステムにおいて、ＣＳＩ−ＲＳは、ＣＳＩ  ａｃｑｕｉｓｉｔｉｏｎ（測定及び報告）用途だけでなく、ｌａｙｅｒ３  ｍｏｂｉｌｉｔｙのためのｍｅａｓｕｒｅｍｅｎｔ用途（ｅ．ｇ．  Ｌ３  ＲＳＲＰ）、（ａｎａｌｏｇ）  ｂｅａｍ  ｍａｎａｇｅｍｅｎｔ用途（ｅ．ｇ．  ｂｅａｍ  ｓｅｌｅｃｔｉｏｎ、ｓｅｌｅｃｔｅｄ  ｂｅａｍ  ＩＤ  ａｎｄ  ｂｅａｍ  ｑｕａｌｉｔｙ  ｒｅｐｏｒｔｉｎｇ）、ＬＴＥ  ＣＲＳ不在によるｆｉｎｅ  ｔｉｍｅ／ｆｒｅｑｕｅｎｃｙ  ｔｒａｃｋｉｎｇ用途（以下、「ＴＲＳ」という）として使用されることができる。
【０１８０】
表６は、ＣＳＩ−ＲＳ  ＲＥパターンの一例を示す。
【０１８１】
【表６】
2020528238.tif 000057
【０１８２】
上記の各ＣＳＩ−ＲＳ用途によるＣＳＩ−ＲＳ  ｐａｔｔｅｒｎ（または、ＣＳＩ−ＲＳ  ｒｅｓｏｕｒｃｅ）及びｐｏｒｔ構成は相違することができ、一般的に、次のような仮定をすることができる。
【０１８３】
（１）ＣＳＩ取得（ａｃｑｕｉｓｉｔｉｏｎ）用途／移動性（Ｍｏｂｉｌｉｔｙ）用途：最大３２ポート、周波数領域密度（ｄｅｎｓｉｔｙ、ｆＤ）＝１、＜１、（＞１）［ＲＥ／ＰＲＢ／ｐｏｒｔ］、時間領域ｄｅｎｓｉｔｙ（ｔＤ）＝１［ＲＥ／ｓｌｏｔ／ｐｏｒｔ］
【０１８４】
（２）ビーム管理（Ｂｅａｍ  ｍａｎａｇｅｍｅｎｔ、ＢＭ）用途：最大２〜８ポート、ｆＤ＝１、＞１、（＜１）、ｔＤ＝１、＞１
【０１８５】
（３）ＴＲＳ（ｔｒａｃｋｉｎｇ  ｒｅｆｅｒｅｎｃｅ  ｓｉｇｎａｌ）用途：１ポート、ｆＤ＞１、ｔＤ＝１、＞１
【０１８６】
すなわち、ｂｅａｍ  ｍａｎａｇｅｍｅｎｔ用途とＴＲＳ用途とは、相対的に少ない最大ｐｏｒｔ数、１以上の高い周波数／時間領域ｄｅｎｓｉｔｙが定義される。
【０１８７】
ここで、ｔＤ＞１である特徴は、１つのＣＳＩ−ＲＳ資源が同一ｓｌｏｔ内に複数のシンボルから送信される場合だけでなく、同一ｓｌｏｔ内に互いに異なるシンボルから送信される互いにＱＣＬ（ｑｕａｓｉ−ｃｏ−ｌｏｃａｔｅｄ）されるあるいは同一ａｎｔｅｎｎａ  ｐｏｒｔを送信する複数のＣＳＩ−ＲＳ資源の送信を含むことができる。
【０１８８】
このような拡張方式は、後述する内容に対しても共通的に適用されることができる。
【０１８９】
既存のＬＴＥシステムの場合、ＤＭＲＳ  ＲＥ位置は、常に固定されている。
【０１９０】
そこで、ＣＳＩ−ＲＳが設定され得るＲＥ（ｒｅｓｏｕｒｃｅ  ｅｌｅｍｅｎｔ）パターンは、ＤＭＲＳ  ＲＥ位置を除いて定義された。
【０１９１】
しかし、ＮＲシステムの場合、ＤＭＲＳ  ＲＥ位置は、ポート別に周波数領域位置が互いに異なることができ、ＤＭＲＳシンボル位置及び個数も可変的でありうる（特に、ｍｉｎｉ−ｓｌｏｔまで考慮すれば、より一層可変的でありうる）。
【０１９２】
したがって、全ての可能なＤＭＲＳ  ＲＥ位置を除き、ＣＳＩ−ＲＳが設定され得るＲＥ位置を決定することは、多くの制約を来たすことになる。
【０１９３】
したがって、ＣＳＩ−ＲＳと（一部または全ての）ＤＭＲＳとの間の特定（または、同一）シンボル内でｆｒｅｑｕｅｎｃｙ  ｄｏｍａｉｎ  ｍｕｌｔｉｐｌｅｘｉｎｇ（ＦＤＭ）を許容（または、定義）することが必要である。
【０１９４】
次に、ＤＬ  ＤＭＲＳとＣＳＩ−ＲＳとの間の周波数分割多重化ＦＤＭについてより具体的に説明する。
【０１９５】
ＤＭＲＳ  ｔｙｐｅ１の場合、周波数領域としてｃｏｍｂ−２構造を有するので、ＣＳＩ−ＲＳとＤＭＲＳとの間には周波数分割多重化ＦＤＭが許容されないか、（Ｎｏ  ｆｒｅｑｕｅｎｃｙ  ｄｏｍａｉｎ  ＣＤＭ特性を有する）１−ｐｏｒｔ  ＣＳＩ−ＲＳ、（Ｙ、Ｚ）＝（１、２以上の整数）をｃｏｍｐｏｎｅｎｔ  ＲＥ  ｐａｔｔｅｒｎとして使用する一部Ｎ−ｐｏｒｔ  ＣＳＩ−ＲＳ、または特定用途で設定されたＣＳＩ−ＲＳに制限的にＤＭＲＳとの周波数分割多重化ＦＤＭが許容され得る。
【０１９６】
ここで、Ｙは、周波数領域（ｆｒｅｑｕｅｎｃｙ  ｄｏｍａｉｎ）で隣接する（ａｄｊａｃｅｎｔ）ＲＥの個数を表し、Ｚは、時間領域（ｔｉｍｅ  ｄｏｍａｉｎ）で隣接するＲＥの個数を示す。
【０１９７】
前記ｃｏｍｐｏｎｅｎｔ  ＲＥ  ｐａｔｔｅｒｎは、ＣＤＭ  ｇｒｏｕｐをなすｒｅｓｏｕｒｃｅを意味することと解釈されることができる。
【０１９８】
前記特定用途は、ｂｅａｍ  ｍａｎａｇｅｍｅｎｔ用途あるいはＴＲＳ用途でありうる。
【０１９９】
ＣＳＩ−ＲＳがｂｅａｍ  ｍａｎａｇｅｍｅｎｔ用途として使用される場合、ＣＳＩ−ＲＳは、ｒｅｓｏｕｒｃｅ  ｓｅｔｔｉｎｇ、ｒｅｐｏｒｔｉｎｇ  ｓｅｔｔｉｎｇ、ｍｅａｓｕｒｅｍｅｎｔ  ｓｅｔｔｉｎｇで構成されたＲＲＣメッセージを介して設定されることができる。
【０２００】
前記ｓｉｇｎａｌｉｎｇ  ｆｒａｍｅｗｏｒｋは、ｂｅａｍ  ｍａｎａｇｅｍｅｎｔ用途だけでなく、ＣＳＩ  ａｃｑｕｉｓｉｔｉｏｎ用途としても活用されることができる。
【０２０１】
前記ｓｉｇｎａｌｉｎｇ  ｆｒａｍｅｗｏｒｋは、ｒｅｓｏｕｒｃｅ  ｓｅｔｔｉｎｇ、ｒｅｐｏｒｔｉｎｇ  ｓｅｔｔｉｎｇ、ｍｅａｓｕｒｅｍｅｎｔ  ｓｅｔｔｉｎｇ間の関係を表すものであって、ＣＳＩ  ｆｒａｍｅｗｏｒｋとも表現されることができる。
【０２０２】
したがって、ｂｅａｍ  ｍａｎａｇｅｍｅｎｔ用途のＣＳＩ−ＲＳは、ｒｅｓｏｕｒｃｅ  ｓｅｔｔｉｎｇに用途／タイプに対する区分子（または、指示子）を設定してｅｘｐｌｉｃｉｔに区分されたり、または、当該ｒｅｓｏｕｒｃｅ  ｓｅｔｔｉｎｇとｍｅａｓｕｒｅｍｅｎｔ  ｓｅｔｔｉｎｇとを介して連結されたｒｅｐｏｒｔｉｎｇ  ｓｅｔｔｉｎｇに設定された報告情報を介して区分されることができる。
【０２０３】
例えば、ｂｅａｍ  ｍａｎａｇｅｍｅｎｔ用途は、ｂｅａｍ  ＩＤ（ｅ．ｇ．ＣＲＩ）、ＣＳＩ−ＲＳ／ＳＳ  ｂｌｏｃｋ基盤Ｌ１  ＲＳＲＰ、ｂｅａｍ  ｇｒｏｕｐｉｎｇ  ｉｎｆｏｒｍａｔｉｏｎ（ｅ．ｇ．  ＣＲＩ  ｇｒｏｕｐ  ＩＤ）等のうち一部が報告（ｒｅｐｏｒｔ）パラメータに含まれることができる。
【０２０４】
ＣＳＩ  ａｃｑｕｉｓｉｔｉｏｎ用途は、ＰＭＩ、ＣＱＩ、ＲＩ、ＣＲＩなどの組み合わせが設定され得る。
【０２０５】
特に、端末のＲｘ  ｂｅａｍ選択用途として、報告情報なしに（Ｎｏ  ｒｅｐｏｒｔ、Ｎｏｎｅ）ＲＳのみ送信される場合も存在しうる。
【０２０６】
すなわち、連結されたｒｅｐｏｒｔｉｎｇ  ｓｅｔｔｉｎｇがないか、または、ＮＵＬＬ  ｓｅｔｔｉｎｇと連結される特徴を有するｒｅｓｏｕｒｃｅ  ｓｅｔｔｉｎｇもｂｅａｍ  ｍａｎａｇｅｍｅｎｔ用途を表すことができる。
【０２０７】
上記のような特徴を介してＣＳＩ−ＲＳの用途は、ｉｍｐｌｉｃｉｔに区分されることができる。
【０２０８】
または、ＣＳＩ−ＲＳパターンまたは特徴としてＣＳＩ−ＲＳの用途が区分されることもできる。
【０２０９】
例えば、ｆＤ＞１（あるいは、特定値）、及び／又はｔＤ＞１（あるいは、特定値）である特徴としてＣＳＩ−ＲＳ用途がｉｍｐｌｉｃｉｔに区分されることもできる。
【０２１０】
したがって、このような特徴を有するｒｅｓｏｕｒｃｅ  ｓｅｔｔｉｎｇに含まれたＣＳＩ−ＲＳ  ｒｅｓｏｕｒｃｅに制限的にＤＭＲＳシンボルが送信され得るシンボルにＣＳＩ−ＲＳが設定されることを許容する。
【０２１１】
例えば、ｒｅｓｏｕｒｃｅ  ｓｅｔｔｉｎｇのうち、前述した特徴を有するＣＳＩ−ＲＳは、システム帯域幅が一定以下である場合、３番目及び／又は４番目のシンボル、帯域幅が一定以上である場合、４番目及び／又は５番目のシンボルに送信が許容されることができる。
【０２１２】
または、１−ｐｏｒｔ  ＣＳＩ−ＲＳ  ｒｅｓｏｕｒｃｅまたは（Ｙ、Ｚ）＝（１、２以上の整数）をｃｏｍｐｏｎｅｎｔ  ＲＥ  ｐａｔｔｅｒｎとして使用する一部のＮ−ｐｏｒｔ  ＣＳＩ−ＲＳに対してのみ前記シンボル位置にＣＳＩ−ＲＳの送信が許容され得る。
【０２１３】
ＴＲＳ用途のＣＳＩ−ＲＳは、前記ｒｅｓｏｕｒｃｅ  ｓｅｔｔｉｎｇとは別に設定されたり、前記ｒｅｓｏｕｒｃｅ  ｓｅｔｔｉｎｇの中に含まれ、前記端末Ｒｘ  ｂｅａｍ選択用途として送信するＣＳＩ−ＲＳと同様に報告（ｒｅｐｏｒｔ）なしにＲＳのみ送信されて、連結されたｒｅｐｏｒｔｉｎｇ  ｓｅｔｔｉｎｇがなかったり、ＮＵＬＬ  ｓｅｔｔｉｎｇと連結される特徴を介してｉｍｐｌｉｃｉｔに区分されることができる。
【０２１４】
または、ＣＳＩ−ＲＳパターンあるいは特徴としてＴＲＳ用途のＣＳＩ−ＲＳが区分されることもできる。
【０２１５】
例えば、ポート数＝１、ｆＤ＞１（あるいは、特定値）、及び／又はｔＤ＞１（あるいは、特定値）である特徴としてＴＲＳ用途のＣＳＩ−ＲＳがｉｍｐｌｉｃｉｔに区分されることもできる。
【０２１６】
または、ｅｘｐｌｉｃｉｔにｔｉｍｅ／ｆｒｅｑｕｅｎｃｙ  ｔｒａｃｋｉｎｇ用途として活用できるという指示子を含むことができる。
【０２１７】
これは、単一または複数のｓｌｏｔに送信される互いに異なるＣＳＩ−ＲＳシンボル（または、資源）間にＱＣＬされているという特徴に対する指示子に代替されることができる。
【０２１８】
ＤＭＲＳ  ｔｙｐｅ２の場合、ポート当り周波数領域として最大４個の連続的なＲＥが使用可能なので、全てのｃｏｎｆｉｇｕｒａｔｉｏｎに対してＣＳＩ−ＲＳとｍｕｌｔｉｐｌｅｘｉｎｇを許容したり、または極めて特別な場合にのみ前記ＣＳＩ−ＲＳとのマルチプレキシングが許容されるように制限されることができる。
【０２１９】
ここで、前記ｍｕｌｔｉｐｌｅｘｉｎｇが除かれるＣＳＩ−ＲＳの設定（ｃｏｎｆｉｇｕｒａｔｉｏｎ）は、１つのシンボルに５個以上のＲＥを占めるか、またはｆＤ＞１でありながら、ＣＳＩ−ＲＳ  ＲＥ間の間隔が衝突可能性が高いか、または衝突が不回避な場合でありうる。
【０２２０】
このような側面において次の条件（あるいは、次の条件のｓｕｂｓｅｔ）が該当する場合、ＤＭＲＳシンボル位置でＣＳＩ−ＲＳに対する設定が制限され得る。
【０２２１】
（１）Ｎ−ｐｏｒｔ以上
【０２２２】
（２）Ｎ−ｐｏｒｔ以上でありながら、ｃｏｍｐｏｎｅｎｔ  ＲＥ  ｐａｔｔｅｒｎが同一シンボル（ｓｅｔ）にＭ個以上（連続的に）併合（ａｇｇｒｅｇａｔｉｏｎ）される場合（Ｍは、２以上の整数）
【０２２３】
・不連続的にａｇｇｒｅｇａｔｉｏｎされる場合、ＤＭＲＳとＣＳＩ−ＲＳとの間の周波数分割多重化ＦＤＭが許容され得る（ｅ．ｇ．  ２  Ｒｅｓ以上間隔を空ける場合）
【０２２４】
（３）特定ＣＤＭ  ｐａｔｔｅｒｎ／ｌｅｎｇｔｈ：
【０２２５】
・ＣＤＭ−８が設定（または、適用）される場合、衝突確率を下げるために、特定ＣＤＭ−８  ｔｙｐｅを制限できる。
【０２２６】
例えば、（ｓｕｂｃａｒｒｉｅｒｓ、ｓｙｍｂｏｌｓ）＝（２、４）で構成されるＣＤＭ−８  ｔｙｐｅだけを許容し、（ｓｕｂｃａｒｒｉｅｒｓ、ｓｙｍｂｏｌｓ）＝（４、２）で構成されるＣＤＭ−８  ｔｙｐｅは許容しないことができる。
【０２２７】
・前記制限は、不連続的にａｇｇｒｅｇａｔｉｏｎされてＣＤＭ−ｘ（ｅ．ｇ．、ｘ＝４または８）を構成する場合に限定されることもできる。
【０２２８】
すなわち、ＣＤＭ−ｘがｃｏｍｐｏｎｅｎｔ  ＲＥ  ｐａｔｔｅｒｎにわたって設定される場合でありうる。
【０２２９】
・特定ＣＤＭ  ｌｅｎｇｔｈ（ｅ．ｇ．、ｘ＝２）への設定制限は、ｍｕｌｔｉｐｌｅｘｉｎｇする場合、隣接セルのＤＭＲＳに及ぼす干渉を最小化するための目的として使用されることもできる。
【０２３０】
（４）ｆＤ＞１である特定ｆＤ値（等）（ｅ．ｇ．  ｆＤ＝２は、許容（ｕｎｉｆｏｒｍ分布を仮定するとき、６桁間隔であるから）するものの、ｆＤ＝３は、許容しないことができる（ｕｎｉｆｏｒｍ分布を仮定するとき、４桁間隔であるから）。）
【０２３１】
・前記制限されるｆＤ値は、ｐｏｒｔ数及びＲＥ  ｐａｔｔｅｒｎによって異なるように設定されることもできる。
【０２３２】
次に、ＵＬ  ＤＭＲＳとＳＲＳとの間の周波数分割多重化ＦＤＭについて具体的に説明する。
【０２３３】
ＮＲにおいてＳＲＳ（ｓｏｕｎｄｉｎｇ  ｒｅｆｅｒｅｎｃｅ  ｓｉｇｎａｌ）は、周波数領域としてＣｏｍｂ構造を有し、Ｃｏｍｂ値は、１、２、４を使用する。
【０２３４】
ＳＲＳは、１つのｓｌｏｔ内に最大４シンボルまで送信されることができる。
【０２３５】
これは、カバレッジ制限されたＵＥ（ｃｏｖｅｒａｇｅ  ｌｉｍｉｔｅｄ  ＵＥ）、ＵＬ  ｂｅａｍ  ｍａｎａｇｅｍｅｎｔなどのためである。
【０２３６】
ＮＲにおいてＵＬは、ＬＴＥのＵＬのように、ＤＦＴ（ｄｉｓｃｒｅｔｅ  ｆｏｕｒｉｅｒ  ｔｒａｎｓｆｏｒｍ）−ｓｐｒｅａｄ  ＯＦＤＭ  ｗａｖｅｆｏｒｍを支援し（ただし、最大送信ｒａｎｋは１）、ＤＬのようにＣＰ  ＯＦＤＭ  ｗａｖｅｆｏｒｍも支援する（最大送信ｒａｎｋは４〜８）。
【０２３７】
前記ＤＦＴ−ｓ  ＯＦＤＭ  ｗａｖｅｆｏｒｍは、ｃｏｍｂ構造であるＤＭＲＳ  ｔｙｐｅ１のみが使用され得る。
【０２３８】
ＳＲＳは、非周期的に（ａｐｅｒｉｏｄｉｃ）１回のみ送信されるか、ｓｅｍｉ−ｐｅｒｓｉｓｔｅｎｔに活性化（ａｃｔｉｖａｔｉｏｎ）時点からｄｅａｃｔｉｖａｔｉｏｎ時点まで（周期的に）複数回送信されるか、ＲＲＣ設定により（ＲＲＣ  ｒｅｃｏｎｆｉｇｕｒｅまたはｄｉｓｃｏｎｎｅｃｔｉｏｎ時まで常に）周期的に送信されることができる。
【０２３９】
上記の全ての場合に対して、ＳＲＳシンボル位置、ｃｏｍｂ値、ｃｏｍｂ  ｏｆｆｓｅｔ値などがＲＲＣまたはＭＡＣ  ＣＥなどに（予め）設定されることができる。
【０２４０】
このとき、ＵＬ  ＤＭＲＳ位置を除き、ＳＲＳが設定され得るシンボル位置を設定できる。
【０２４１】
しかし、ＤＭＲＳ設定可能なシンボル位置及びシンボル数が多いことができ、セル内に端末が密集された場合、そして、ｍｉｎｉ−ｓｌｏｔなど、様々なｓｌｏｔ構造を考慮するとき、ＳＲＳもＵＬ  ＤＭＲＳとＦＤＭを許容することがより好ましいことができる。
【０２４２】
すなわち、ＤＭＲＳシンボル送信が可能な位置、すなわち、システム帯域幅が一定以下である場合、３番目、４番目、ｘ＿ｉ番目（ｉ＝１、…、Ｘ、Ｘは、ａｄｄｉｔｉｏｎａｌ  ＤＭＲＳの総シンボル数、ｘ＿ｉは、ｉ番目ａｄｄｉｔｉｏｎａｌ  ＤＭＲＳのシンボル位置）でありうるし、システム帯域幅が一定以上である場合、４番目、５番目、ｘ＿ｉ番目（ｉ＝１、…、Ｘ、Ｘは、ａｄｄｉｔｉｏｎａｌ  ＤＭＲＳの総シンボル数、ｘ＿ｉは、ｉ番目ａｄｄｉｔｉｏｎａｌ  ＤＭＲＳのシンボル位置）位置に下記の条件によってＳＲＳ送信に対する許容可否が定義され得る。
【０２４３】
・ＤＭＲＳ  ｔｙｐｅ１であるとき、ＳＲＳ  ｃｏｍｂ１である場合のみ除いて許容
【０２４４】
・ＤＭＲＳ  ｔｙｐｅ２であるとき、ＳＲＳとＦＤＭを許容しない
【０２４５】
仮に、ＳＲＳ  ｃｏｍｂ６が支援されれば、ｃｏｍｂ６は、許容可能なようにする。
【０２４６】
追加的に、仮に、ＳＲＳが１つのｓｌｏｔ内に２つのシンボル以上で送信される場合、互いに異なるＳＲＳは、互いに異なるＲＥ位置で送信されることができる（ｓｙｍｂｏｌ−ｌｅｖｅｌ  ｈｏｐｐｉｎｇ）。
【０２４７】
前記Ｓｙｍｂｏｌ−ｌｅｖｅｌ  ｈｏｐｐｉｎｇの際、ｃｏｍｂ  ｏｆｆｓｅｔ、ＰＲＢ  ｓｅｔなどが変更され得る。
【０２４８】
したがって、この場合、複数のＵＬ  ＤＭＲＳシンボルが共に送信され得ることを考慮するとき、複数シンボルにＳＲＳが設定され、ＤＭＲＳシンボルと衝突が発生し得るシンボルのうち、一部または全部がＳＲＳ設定に含まれた場合、ｓｙｍｂｏｌ−ｌｅｖｅｌ  ＳＲＳ  ｈｏｐｐｉｎｇをｄｉｓａｂｌｉｎｇしたり、特定ｈｏｐｐｉｎｇ  ｐａｔｔｅｒｎのみ許容されるようにすることがより好ましいことができる。
【０２４９】
例えば、ＤＭＲＳが隣接して最大２シンボルで送信され得ることを考慮して、隣接した２シンボルずつ縛ってｈｏｐｐｉｎｇを設定できる。
【０２５０】
または、ｃｏｍｂ値及びｃｏｍｂ  ｏｆｆｓｅｔ値は維持したまま、ＰＲＢ（ｓｅｔ）位置のみｈｏｐｐｉｎｇするように設定されることができる。
【０２５１】
前述した説明とともに、ｐｏｒｔ間の周波数分割多重化ＦＤＭ可能性、ｐｏｗｅｒ  ｂｏｏｓｔｉｎｇなどを考慮するとき、Ｐ−ｐｏｒｔｓ以下のＳＲＳに対してのみＤＭＲＳシンボル位置でＳＲＳ設定されるように許容することもできる（Ｐは、２以上の整数）。
【０２５２】
Ｐ−ｐｏｒｔｓ以上であるＳＲＳは、ＤＭＲＳとｍｕｌｔｉｐｌｅｘｉｎｇを許容しないか、または、ｐｏｒｔ間ｓｕｂｃａｒｒｉｅｒ間隔によって特定ＤＭＲＳ  ｃｏｎｆｉｇ．に対してのみ周波数分割多重化ＦＤＭが許容されるようにすることもできる。
【０２５３】
例えば、ＵＬ  ＤＭＲＳ  ｔｙｐｅ１であり、ＳＲＳ  ｃｏｍｂ４、＃｛１、２｝ｐｏｒｔｓと＃｛３、４｝ｐｏｒｔｓとの間に周波数分割多重化ＦＤＭされる場合、ｐｏｒｔグループ間のｓｕｂｃａｒｒｉｅｒ間隔が２であるパターンに対してのみＤＭＲＳシンボル位置にＳＲＳが周波数分割多重化ＦＤＭされるように許容することができる。
【０２５４】
次に、ＣＳＩ−ＲＳ及びＳＲＳのｔｉｍｅ  ｄｏｍａｉｎ  ｂｅｈａｖｉｏｒについて説明する。
【０２５５】
検討したように、ＣＳＩ−ＲＳとＳＲＳとは、ａｐｅｒｉｏｄｉｃ（ｏｎｅｓｈｏｔ）、ｓｅｍｉ−ｐｅｒｓｉｓｔｅｎｔ（ｍｕｌｔｉ−ｓｈｏｔ）、ｐｅｒｉｏｄｉｃの３つのｔｉｍｅ  ｄｏｍａｉｎ  ｂｅｈａｖｉｏｒを有することができる。
【０２５６】
前述した、ＤＭＲＳ、ＣＳＩ−ＲＳ、ＳＲＳ  ＲＥパターン側面での周波数分割多重化ＦＤＭ可否に対する考慮とともに、ＣＳＩ−ＲＳ／ＳＲＳのｔｉｍｅ  ｄｏｍａｉｎ  ｂｅｈａｖｉｏｒによって全体あるいは一部のＤＭＲＳシンボルに対するＣＳＩ−ＲＳ／ＳＲＳとの周波数分割多重化ＦＤＭ許容可否及び程度を異なるように設定することができる。
【０２５７】
Ａｐｅｒｉｏｄｉｃ  ＣＳＩ−ＲＳ／ＳＲＳの場合、ＤＣＩにｔｒｉｇｇｅｒｉｎｇされるので、（上位ｌａｙｅｒ設定上で）ＤＭＲＳシンボル位置でＣＳＩ−ＲＳ／ＳＲＳと周波数分割多重化ＦＤＭとの設定を許容することができる。
【０２５８】
このとき、複数のＣＳＩ−ＲＳ／ＳＲＳ  ＲＥ位置が上位ｌａｙｅｒで設定された後、ＭＡＣ  ＣＥまたはＤＣＩに周波数分割多重化ＦＤＭされるＤＭＲＳのパターンを考慮して衝突を避けることができるパターン（等）が指定されることができる。
【０２５９】
特に、ｆｒｏｎｔ−ｌｏａｄ  ＤＭＲＳの２番目のシンボルにＤＭＲＳが送信されるか否かは、ＳＵ−ＭＩＭＯ  ｌａｙｅｒ数またはＭＵ−ＭＩＭＯ送信状況に合わせて異なることができる。
【０２６０】
したがって、ｆｒｏｎｔ−ｌｏａｄ  ＤＭＲＳの（１番目及び）２番目のシンボル位置に全てのＣＳＩ−ＲＳ／ＳＲＳ  ＲＥ  ｐａｔｔｅｒｎをＲＲＣに設定させた後、２番目のシンボルにＤＭＲＳが送信されるＰＤＳＣＨにａｐｅｒｉｏｄｉｃ  ＣＳＩ−ＲＳ／ＳＲＳを送信するとき、ＤＣＩに衝突を回避するパターンが指示され得る。
【０２６１】
前記２つのＤＣＩは、同一ＰＤＣＣＨでない、互いに異なるＰＤＣＣＨを介して（互いに異なるｔｉｍｉｎｇに）送信されることもできる。
【０２６２】
例えば、ａｐｅｒｉｏｄｉｃ  ＣＳＩ−ＲＳ  ｔｒｉｇｇｅｒｉｎｇは、ＵＬ  ＤＣＩに、ＰＤＳＣＨ  ａｌｌｏｃａｔｉｏｎは、ＤＬ  ＤＣＩに指示されることができる。
【０２６３】
仮に、予め設定されたパターンで衝突を回避できない場合、ａｐｅｒｉｏｄｉｃ  ＣＳＩ−ＲＳ／ＳＲＳとＤＭＲＳとの間の決められたｐｒｉｏｒｉｔｙ  ｒｕｌｅにより、２つのうち１つのみ受信または送信させることができる。
【０２６４】
仮に、ＤＭＲＳのｐｒｉｏｒｉｔｙがより高い場合、ＣＳＩ−ＲＳ／ＳＲＳは、衝突される周波数領域を除いて受信／送信したり、または全体受信／送信を行わないことができる。
【０２６５】
Ｐｅｒｉｏｄｉｃ（及びｓｅｍｉ−ｐｅｒｓｉｓｔｅｎｔ）  ＣＳＩ−ＲＳ／ＳＲＳの場合、動的に変化するＤＭＲＳパターンによって衝突が発生する可能性が高いので、一部あるいは全部のＤＭＲＳシンボル位置でＣＳＩ−ＲＳ／ＳＲＳに対して設定を許容しないことがより好ましいことができる。
【０２６６】
例えば、ｆｒｏｎｔ−ｌｏａｄ  ＤＭＲＳの１番目及び／又は２番目のＤＭＲＳ  ｓｙｍｂｏｌの位置（４番目または５番目のシンボル）に周期的なＣＳＩ−ＲＳ／ＳＲＳ設定を許容しなければ、基地局は、ＳＵ−ＭＩＭＯ、ＭＵ−ＭＩＭＯ送信状況に合わせて衝突の心配なしに動的にＤＭＲＳを設定できる。
【０２６７】
まとめると、ａｐｅｒｉｏｄｉｃ  ＣＳＩ−ＲＳ／ＳＲＳに対してＲＲＣで設定可能なシンボル位置ｓｅｔは、Ｐｅｒｉｏｄｉｃ  ＣＳＩ−ＲＳ／ＳＲＳに対してＲＲＣで設定可能なシンボル位置ｓｅｔよりさらに大きい特徴を有するようにする。
【０２６８】
そして、上記の方法は、ＤＭＲＳ  ｔｙｐｅによって相違して適用されることができる。
【０２６９】
例えば、ＤＬ  ＤＭＲＳ  ｔｙｐｅ２がｔｙｐｅ１よりＣＳＩ−ＲＳとのｍｕｌｔｉｐｌｅｘｉｎｇがより容易である。
【０２７０】
したがって、ＤＬ  ＤＭＲＳ  ｔｙｐｅ２が設定された場合、Ｐｅｒｉｏｄｉｃ  ＣＳＩ−ＲＳは、ＤＭＲＳシンボルの（一部または全ての）位置に設定されることができる。
【０２７１】
しかし、ＤＬ  ＤＭＲＳ  ｔｙｐｅ１が設定された場合、Ｐｅｒｉｏｄｉｃ  ＣＳＩ−ＲＳは、ＤＭＲＳシンボルの（一部あるいは全ての）位置に設定されないように定義することができる。
【０２７２】
逆に、ＵＬ  ＤＭＲＳ  ｔｙｐｅ１は、ＤＭＲＳ  ｔｙｐｅ２よりＳＲＳとのｍｕｌｔｉｐｌｅｘｉｎｇがより容易である。
【０２７３】
したがって、ＵＬ  ＤＭＲＳ  ｔｙｐｅ１が設定された場合、ｐｅｒｉｏｄｉｃ  ＳＲＳは、ＤＭＲＳシンボルの（一部または全ての）位置に設定されるようにする。
【０２７４】
しかし、ＵＬ  ＤＭＲＳ  ｔｙｐｅ２が設定された場合、ｐｅｒｉｏｄｉｃ  ＳＲＳは、ＤＭＲＳシンボルの（一部あるいは全ての）位置に設定されないようにすることができる。
【０２７５】
図１０は、本明細書において提案するＤＭＲＳとＣＳＩ−ＲＳとをマルチプレキシングするための端末の動作方法の一例を示した順序図である。
【０２７６】
まず、端末は、ＤＭＲＳを基地局から受信する（Ｓ１０１０）。
【０２７７】
前記ＤＭＲＳタイプは、ＤＭＲＳタイプ１またはＤＭＲＳタイプ２でありうる。
【０２７８】
そして、前記端末は、ＣＳＩ−ＲＳを前記基地局から受信する（Ｓ１０２０）。
【０２７９】
ここで、特定シンボルで前記ＤＭＲＳと前記ＣＳＩ−ＲＳとの間の周波数分割マルチプレキシング（ｆｒｅｑｕｅｎｃｙ  ｄｉｖｉｓｉｏｎ  ｍｕｌｔｉｐｌｅｘｉｎｇ、ＦＤＭ）は、ＤＭＲＳタイプ（ｔｙｐｅ）に基づいて決定されることができる。
【０２８０】
仮に、前記ＤＭＲＳタイプがＤＭＲＳタイプ１に設定され、前記ＣＳＩ−ＲＳが特定用途で設定された場合、前記特定シンボルで前記ＤＭＲＳと前記ＣＳＩ−ＲＳとは周波数分割多重化ＦＤＭされることができる。
【０２８１】
前記特定用途は、ビーム管理（ｂｅａｍ  ｍａｎａｇｅｍｅｎｔ）用途またはＴＲＳ（ｔｒａｃｋｉｎｇ  ｒｅｆｅｒｅｎｃｅ  ｓｉｇｎａｌ）用途でありうる。
【０２８２】
また、前記特定用途は、ＲＲＣ  ｓｉｇｎａｌｉｎｇに含まれる指示子（ｉｎｄｉｃａｔｏｒ）で区分されることができる。
【０２８３】
または、前記ＤＭＲＳタイプがＤＭＲＳタイプ２に設定された場合、前記特定シンボルで前記ＤＭＲＳと前記ＣＳＩ−ＲＳとは、周波数分割多重化ＦＤＭされることができる。
【０２８４】
さらに制限をおいて、前記ＤＭＲＳタイプ２に設定された場合の他にも、前記ＣＳＩ−ＲＳがＮ−ｐｏｒｔ以上のＣＳＩ−ＲＳであり、１つのシンボルに２個以上のＣＳＩ−ＲＳ  ｃｏｍｐｏｎｅｎｔ  ＲＥ  ｐａｔｔｅｒｎが併合（ａｇｇｒｅｇａｔｉｏｎ）される場合にのみ、前記特定シンボルで前記ＤＭＲＳと前記ＣＳＩ−ＲＳとは、周波数分割多重化ＦＤＭされることと定義されることができる。
【０２８５】
図１１は、本明細書において提案するＤＭＲＳとＳＲＳとをマルチプレキシングするための端末の動作方法を示した順序図である。
【０２８６】
まず、前記端末は、ＤＭＲＳを基地局に送信する（Ｓ１１１０）。
【０２８７】
そして、前記端末は、前記ＳＲＳを前記基地局に送信する（Ｓ１１２０）。
【０２８８】
ここで、特定シンボルで前記ＤＭＲＳと前記ＳＲＳとの間の周波数分割マルチプレキシング（ｆｒｅｑｕｅｎｃｙ  ｄｉｖｉｓｉｏｎ  ｍｕｌｔｉｐｌｅｘｉｎｇ、ＦＤＭ）は、ＤＭＲＳタイプ（ｔｙｐｅ）に基づいて決定されることができる。
【０２８９】
同様に、前記ＤＭＲＳタイプは、ＤＭＲＳタイプ１またはＤＭＲＳタイプ２でありうる。
【０２９０】
仮に、前記ＤＭＲＳタイプがＤＭＲＳタイプ１に設定され、前記ＳＲＳが周波数領域でｃｏｍｂ１以外のｃｏｍｂ構造で設定された場合、前記特定シンボルで前記ＤＭＲＳと前記ＳＲＳとは、周波数分割多重化ＦＤＭされることができる。
【０２９１】
または、前記ＤＭＲＳタイプがＤＭＲＳタイプ２に設定された場合、前記特定シンボルで前記ＤＭＲＳと前記ＣＳＩ−ＲＳとは、周波数分割多重化ＦＤＭされないことができる。
【０２９２】
本発明が適用され得る装置一般
【０２９３】
図１２は、本明細書において提案する方法が適用され得る無線通信装置のブロック構成図を例示する。
【０２９４】
図１２に示すように、無線通信システムは、基地局１２１０と基地局領域内に位置した多数の端末１２２０とを備える。
【０２９５】
前記基地局と端末とは、各々無線装置で表現されることもできる。
【０２９６】
基地局は、プロセッサ（ｐｒｏｃｅｓｓｏｒ、１２１１）、メモリ（ｍｅｍｏｒｙ、１２１２）、及びＲＦモジュール（Ｒａｄｉｏ  Ｆｒｅｑｕｅｎｃｙ  ｍｏｄｕｌｅ、１２１３）を備える。プロセッサは、先に図１〜図１１において提案された機能、過程、及び／又は方法を実現する。無線インターフェースプロトコルの階層は、プロセッサにより実現されることができる。メモリは、プロセッサと連結されて、プロセッサを駆動するための様々な情報を格納する。ＲＦモジュールは、プロセッサと連結されて、無線信号を送信及び／又は受信する。
【０２９７】
端末は、プロセッサ１２２１、メモリ１２２２、及びＲＦモジュール１２２３を備える。
【０２９８】
プロセッサは、先に図１〜図１１において提案された機能、過程、及び／又は方法を実現する。無線インターフェースプロトコルの階層は、プロセッサにより実現されることができる。メモリは、プロセッサと連結されて、プロセッサを駆動するための様々な情報を格納する。ＲＦモジュールは、プロセッサと連結されて、無線信号を送信及び／又は受信する。
【０２９９】
メモリ１２１２、１２２２は、プロセッサ１２１１、１２２１の内部または外部にあることができ、よく知られた様々な手段でプロセッサと連結されることができる。
【０３００】
また、基地局及び／又は端末は、１個のアンテナ（ｓｉｎｇｌｅ  ａｎｔｅｎｎａ）または多重アンテナ（ｍｕｌｔｉｐｌｅ  ａｎｔｅｎｎａ）を有することができる。
【０３０１】
図１３は、本発明の一実施形態に係る通信装置のブロック構成図を例示する。
【０３０２】
特に、図１３は、先に図１２の端末をより詳細に例示する図である。
【０３０３】
図１３に示すように、端末は、プロセッサ（または、デジタル信号プロセッサ（ＤＳＰ：ｄｉｇｉｔａｌ  ｓｉｇｎａｌ  ｐｒｏｃｅｓｓｏｒ）１３１０、ＲＦモジュール（ＲＦ  ｍｏｄｕｌｅ）（または、ＲＦユニット）１３３５、パワー管理モジュール（ｐｏｗｅｒ  ｍａｎａｇｅｍｅｎｔ  ｍｏｄｕｌｅ）１３０５、アンテナ（ａｎｔｅｎｎａ）１３４０、バッテリ（ｂａｔｔｅｒｙ）１３５５、ディスプレイ（ｄｉｓｐｌａｙ）１３１５、キーパッド（ｋｅｙｐａｄ）１３２０、メモリ（ｍｅｍｏｒｙ）１３３０、ＳＩＭカード（ＳＩＭ（Ｓｕｂｓｃｒｉｂｅｒ  Ｉｄｅｎｔｉｆｉｃａｔｉｏｎ  Ｍｏｄｕｌｅ）  ｃａｒｄ）１３２５（この構成は、選択的である）、スピーカ（ｓｐｅａｋｅｒ）１３４５、及びマイクロホン（ｍｉｃｒｏｐｈｏｎｅ）１３５０を備えて構成されることができる。端末はさらに単一のアンテナまたは多重のアンテナを含むことができる。
【０３０４】
プロセッサ１３１０は、先に図１〜図１１において提案された機能、過程、及び／又は方法を実現する。無線インターフェースプロトコルの階層は、プロセッサにより実現されることができる。
【０３０５】
メモリ１３３０は、プロセッサと連結され、プロセッサの動作と関連した情報を格納する。メモリ１３３０は、プロセッサの内部または外部にあることができ、よく知られた様々な手段でプロセッサと連結されることができる。
【０３０６】
ユーザーは、例えば、キーパッド１３２０のボタンを押すか（あるいは、タッチするか）、またはマイクロホン１３５０を用いた音声駆動（ｖｏｉｃｅ  ａｃｔｉｖａｔｉｏｎ）により電話番号などのような命令情報を入力する。プロセッサは、このような命令情報を受信し、電話番号で電話をかけるなど、適切な機能を果たすように処理する。駆動上のデータ（ｏｐｅｒａｔｉｏｎａｌ  ｄａｔａ）は、ＳＩＭカード１３２５またはメモリ１３３０から抽出することができる。また、プロセッサは、ユーザーが認知し、また便宜のために命令情報または駆動情報をディスプレイ１３１５上にディスプレイすることができる。
【０３０７】
ＲＦモジュール１３３５は、プロセッサに連結されて、ＲＦ信号を送信及び／又は受信する。プロセッサは、通信を開始するために、例えば、音声通信データを構成する無線信号を送信するように命令情報をＲＦモジュールに伝達する。ＲＦモジュールは、無線信号を受信及び送信するために、受信機（ｒｅｃｅｉｖｅｒ）及び送信機（ｔｒａｎｓｍｉｔｔｅｒ）で構成される。アンテナ１３４０は、無線信号を送信及び受信する機能をする。無線信号を受信するとき、ＲＦモジュールは、プロセッサにより処理するために信号を伝達し、基底帯域に信号を変換できる。処理された信号は、スピーカ１３４５を介して出力される可聴または可読情報に変換されることができる。
【０３０８】
図１４は、本明細書において提案する方法が適用され得る無線通信装置のＲＦモジュールの一例を示した図である。
【０３０９】
具体的に、図１４は、ＦＤＤ（Ｆｒｅｑｕｅｎｃｙ  Ｄｉｖｉｓｉｏｎ  Ｄｕｐｌｅｘ）システムで実現されることができるＲＦモジュールの一例を示す。
【０３１０】
まず、送信経路において、図１２及び図１３で記述されたプロセッサは、送信されるデータをプロセッシングしてアナログ出力信号を送信機１４１０に提供する。
【０３１１】
送信機１４１０内において、アナログ出力信号は、デジタル−対−アナログ変換ＡＤＣにより引き起こされるイメージを除去するために、低域通過フィルタ（Ｌｏｗ  Ｐａｓｓ  Ｆｉｌｔｅｒ、ＬＰＦ）１４１１によりフィルタリングされ、上向き変換器（Ｍｉｘｅｒ、１４１２）により基底帯域からＲＦに上向き変換され、可変利得増幅器（Ｖａｒｉａｂｌｅ  Ｇａｉｎ  Ａｍｐｌｉｆｉｅｒ、ＶＧＡ）１４１３により増幅され、増幅された信号は、フィルタ１４１４によりフィルタリングされ、電力増幅器（Ｐｏｗｅｒ  Ａｍｐｌｉｆｉｅｒ、ＰＡ）１４１５によりさらに増幅され、デュプレクサ（等）１４５０／アンテナスイッチ（等）１４６０を介してルーティングされ、アンテナ１４７０を介して送信される。
【０３１２】
また、受信経路において、アンテナ１４７０は、外部から信号を受信して、受信された信号を提供し、この信号は、アンテナスイッチ（等）１４６０／デュプレクサ１４５０を介してルーティングされ、受信機１４２０に提供される。
【０３１３】
受信機１４２０内において、受信された信号は、低雑音増幅器（Ｌｏｗ  Ｎｏｉｓｅ  Ａｍｐｌｉｆｉｅｒ、ＬＮＡ）１４２３により増幅され、帯域通過フィルタ１４２４によりフィルタリングされ、下向き変換器（Ｍｉｘｅｒ、１４２５）によりＲＦから基底帯域へと下向き変換される。
【０３１４】
前記下向き変換された信号は、低域通過フィルタ（ＬＰＦ、１４２６）によりフィルタリングされ、ＶＧＡ（１４２７）により増幅されてアナログ入力信号を取得し、これは、図１２及び図１３において記述されたプロセッサに提供される。
【０３１５】
また、ローカルオシレータ（ｌｏｃａｌ  ｏｓｃｉｌｌａｔｏｒ、ＬＯ）発生器１４４０は、送信及び受信ＬＯ信号を発生及び上向き変換器１４１２及び下向き変換器１４２５に各々提供する。
【０３１６】
また、位相同期ループ（Ｐｈａｓｅ  Ｌｏｃｋｅｄ  Ｌｏｏｐ、ＰＬＬ）１４３０は、適切な周波数で送信及び受信ＬＯ信号を生成するために、プロセッサから制御情報を受信し、制御信号をＬＯ発生器１４４０に提供する。
【０３１７】
また、図１４に示された回路は、図１４に示された構成と異なるように配列されることもできる。
【０３１８】
図１５は、本明細書において提案する方法が適用され得る無線通信装置のＲＦモジュールのさらに他の一例を示した図である。
【０３１９】
具体的に、図１５は、ＴＤＤ（Ｔｉｍｅ  Ｄｉｖｉｓｉｏｎ  Ｄｕｐｌｅｘ）システムで実現されることができるＲＦモジュールの一例を示す。
【０３２０】
ＴＤＤシステムにおけるＲＦモジュールの送信機１５１０及び受信機１５２０は、ＦＤＤシステムにおけるＲＦモジュールの送信機及び受信機の構造と同様である。
【０３２１】
以下、ＴＤＤシステムのＲＦモジュールは、ＦＤＤシステムのＲＦモジュールと相違がある構造についてのみ説明し、同じ構造については、図１４の説明を参照する。
【０３２２】
送信機の電力増幅器（Ｐｏｗｅｒ  Ａｍｐｌｉｆｉｅｒ、ＰＡ）１５１５により増幅された信号は、バンド選択スイッチ（Ｂａｎｄ  Ｓｅｌｅｃｔ  Ｓｗｉｔｃｈ、１５５０）、バンド通過フィルタ（ＢＰＦ、１５６０）、及びアンテナスイッチ（等）１５７０を介してルーティングされ、アンテナ１５８０を介して送信される。
【０３２３】
また、受信経路において、アンテナ１５８０は、外部から信号を受信して、受信された信号を提供し、この信号は、アンテナスイッチ（等）１５７０、バンド通過フィルタ１５６０、及びバンド選択スイッチ１５５０を介してルーティングされ、受信機１５２０に提供される。
【０３２４】
以上で説明された実施形態は、本発明の構成要素等と特徴が所定形態に結合されたものである。各構成要素または特徴は、別の明示的言及がない限り、選択的なことと考慮されなければならない。各構成要素または特徴は、他の構成要素や特徴と結合されていない形態で実施されることができる。また、一部の構成要素及び／又は特徴を結合して本発明の実施形態を構成することも可能である。本発明の実施形態等において説明される動作等の順序は変更されることができる。ある実施形態の一部構成や特徴は、他の実施形態に含まれることができ、または、他の実施形態に対応する構成または特徴と交替されることができる。特許請求の範囲で明示的な引用関係がない請求項を結合して実施形態を構成したり、出願後の補正により新しい請求項として含めることができることは自明である。
【０３２５】
本発明に係る実施形態は、様々な手段、例えば、ハードウェア、ファームウェア（ｆｉｒｍｗａｒｅ）、ソフトウェア、またはそれらの組み合わせなどにより実現されることができる。ハードウェアによる実現の場合、本発明の一実施形態は、１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより実現されることができる。
【０３２６】
ファームウェアやソフトウェアによる実現の場合、本発明の一実施形態は、以上で説明された機能または動作を果たすモジュール、手順、関数などの形態で実現されることができる。ソフトウェアコードは、メモリに格納されて、プロセッサにより駆動されることができる。前記メモリは、前記プロセッサの内部または外部に位置して、既に公知された様々な手段により前記プロセッサとデータをやり取りすることができる。
【０３２７】
本発明は、本発明の必須的特徴を逸脱しない範囲で他の特定の形態に具体化され得ることは通常の技術者に自明である。したがって、上述した詳細な説明は、あらゆる面において制限的に解釈されてはならず、例示的なものと考慮されなければならない。本発明の範囲は、添付された請求項の合理的解釈により決定されなければならず、本発明の等価的範囲内でのあらゆる変更は、本発明の範囲に含まれる。
【産業上の利用可能性】
【０３２８】
本発明の無線通信システムにおいてＤＭＲＳと特定ＲＳとをマルチプレキシングする方案は、３ＧＰＰ  ＬＴＥ／ＬＴＥ−Ａシステム、５Ｇシステム（Ｎｅｗ  ＲＡＴシステム）に適用される例を中心に説明したが、その他にも、様々な無線通信システムに適用することが可能である。
【図１】
2020528238.tif 000058
【図２】
2020528238.tif 000059
【図３】
2020528238.tif 000060
【図４】
2020528238.tif 000061
【図５】
2020528238.tif 000062
【図６】
2020528238.tif 000063
【図７】
2020528238.tif 000064
【図８】
2020528238.tif 000065
【図９】
2020528238.tif 000066
【図１０】
2020528238.tif 000067
【図１１】
2020528238.tif 000068
【図１２】
2020528238.tif 000069
【図１３】
2020528238.tif 000070
【図１４】
2020528238.tif 000071
【図１５】
2020528238.tif 000072
【国際調査報告】
2020528238.tif 000073
2020528238.tif 000074
2020528238.tif 000075
2020528238.tif 000076